(57)【要約】  アクセス端末は、オーバーヘッドメッセージの受信を容易にするように適応される。一例によれば、アクセス端末は、それが少なくとも実質的に固定であるかどうかを判断することができる。アクセス端末は、後続のオーバーヘッドメッセージに対応する１つまたは複数のシーケンス番号を受信し得る。少なくとも実質的に固定であることに応答して、対応するシーケンス番号が、前に取得されたオーバーヘッドメッセージに対応する記憶されたシーケンス番号と同じであるとき、前に取得されたオーバーヘッドメッセージが６００秒以上前のものである場合でも、アクセス端末は、後続のオーバーヘッドメッセージを無視することができる。別の例によれば、ネットワークノードは、対応するセクタインジケータとシーケンス番号とを含むオーバーヘッドメッセージを送信し得る。セクタインジケータおよびシーケンス番号が、前に受信され記憶されたセクタインジケータおよびシーケンス番号と同じであるとき、アクセス端末はオーバーヘッドメッセージを無視することができる。他の態様、実施形態、および特徴も含まれる。
2015503875.tif 000002
【特許請求の範囲】
【請求項１】
通信インターフェースと、
前のオーバーヘッドメッセージに関連する少なくとも１つのシーケンス番号を含むオーバーヘッドメッセージ情報を備える記憶媒体と、
前記通信インターフェースと前記記憶媒体とに結合された処理回路であって、
前記アクセス端末が少なくとも実質的に固定であると判断することと、
前記通信インターフェースを介して、前記前のオーバーヘッドメッセージの後に送信される後続のオーバーヘッドメッセージに関連する少なくとも１つの後続のシーケンス番号を受信することと、
前記アクセス端末が少なくとも実質的に固定であるという前記判断に応答して、前記少なくとも１つの後続のシーケンス番号が、前記記憶媒体に記憶された前記少なくとも１つのシーケンス番号と同じであるとき、前記後続のオーバーヘッドメッセージを無視することと
を行うように適応された処理回路と
を備える、アクセス端末。
【請求項２】
前記少なくとも１つの後続のシーケンス番号が、前記記憶媒体に記憶された前記少なくとも１つのシーケンス番号の後に６００秒以上受信される、請求項１に記載のアクセス端末。
【請求項３】
前記処理回路は、前記少なくとも１つの後続のシーケンス番号が前記記憶媒体に記憶された前記少なくとも１つのシーケンス番号とは異なるとき、前記通信インターフェースを介して、前記後続のオーバーヘッドメッセージを受信することを行うようにさらに適応された、請求項１に記載のアクセス端末。
【請求項４】
前記処理回路が、前記記憶媒体中に、前記少なくとも１つの後続のシーケンス番号を含む前記後続のオーバーヘッドメッセージに関連する情報を記憶することを行うようにさらに適応された、請求項３に記載のアクセス端末。
【請求項５】
前記処理回路が、
前記通信インターフェースを介して前記前のオーバーヘッドメッセージを受信することと、
前記前のオーバーヘッドメッセージに関連する前記少なくとも１つのシーケンス番号を含む前記オーバーヘッドメッセージ情報を記憶することと
を行うようにさらに適応された、請求項１に記載のアクセス端末。
【請求項６】
アクセス端末上で動作可能な方法であって、
前記アクセス端末が少なくとも実質的に固定であると判断することと、
前のオーバーヘッドメッセージに関連する情報を記憶することであって、前記情報が、前記前のオーバーヘッドメッセージに対応する少なくとも１つのシーケンス番号を備える、記憶することと、
後続のオーバーヘッドメッセージに対応する少なくとも１つの後続のシーケンス番号を受信することと、
前記アクセス端末が少なくとも実質的に固定であると判断したことに応答して、前記少なくとも１つの対応する後続のシーケンス番号が、前記少なくとも１つの記憶されたシーケンス番号と同じであるとき、前記後続のオーバーヘッドメッセージの受信をなしで済ませることと
を備える、方法。
【請求項７】
前記後続のオーバーヘッドメッセージに対応する前記少なくとも１つの後続のシーケンス番号を受信することが、
前記前のオーバーヘッドメッセージに関連する前記情報を記憶した後に少なくとも６００秒前記少なくとも１つの後続のシーケンス番号を受信すること
を備える、請求項６に記載の方法。
【請求項８】
前記少なくとも１つの後続のシーケンス番号が、前記少なくとも１つの記憶されたシーケンス番号とは異なるとき、前記後続のオーバーヘッドメッセージを受信することと、
前記少なくとも１つの後続のシーケンス番号を含む、前記後続のオーバーヘッドメッセージに関連する情報を記憶することと
をさらに備える、請求項６に記載の方法。
【請求項９】
前記アクセス端末が少なくとも実質的に固定であると判断するための手段と、
前のオーバーヘッドメッセージに関連する情報を記憶するための手段であって、前記情報が、前記前のオーバーヘッドメッセージに対応する少なくとも１つのシーケンス番号を備える、記憶するための手段と、
前記前のオーバーヘッドメッセージの後に送信される後続のオーバーヘッドメッセージに対応する少なくとも１つの後続のシーケンス番号を受信するための手段と、
前記少なくとも１つの対応する後続のシーケンス番号が、前記少なくとも１つの記憶されたシーケンス番号と同じであるとき、および前記アクセス端末が少なくとも実質的に固定であると判断したことに応答して、前記後続のオーバーヘッドメッセージの収集なしで済ませるための手段と
を備える、アクセス端末。
【請求項１０】
前記後続のオーバーヘッドメッセージに対応する前記少なくとも１つの後続のシーケンス番号が、前記前のオーバーヘッドメッセージに関連する前記情報が記憶された後に少なくとも６００秒受信される、請求項９に記載のアクセス端末。
【請求項１１】
前記少なくとも１つの対応する後続のシーケンス番号が、前記少なくとも１つの記憶されたシーケンス番号とは異なるとき、前記後続のオーバーヘッドメッセージを受信するための手段
をさらに備える、請求項９に記載のアクセス端末。
【請求項１２】
前記少なくとも１つの後続のシーケンス番号を含む、前記後続のオーバーヘッドメッセージに関連する情報を記憶するための手段
をさらに備える、請求項１１に記載のアクセス端末。
【請求項１３】
コンピュータに、
アクセス端末が少なくとも実質的に固定であると判断することと、
前のオーバーヘッドメッセージに関連する情報を記憶することであって、前記情報が、前記前のオーバーヘッドメッセージに関連するシーケンス番号を備える、記憶することと、
後続のオーバーヘッドメッセージに関連する後続のシーケンス番号を取得することと、
前記後続のシーケンス番号が前記記憶されたシーケンス番号と同じであるとき、および前記アクセス端末が少なくとも実質的に固定であるという前記判断に応答して、前記後続のオーバーヘッドメッセージを無視することと
を行わせるためのプログラミングを備える、コンピュータ可読記憶媒体。
【請求項１４】
前記後続のオーバーヘッドメッセージに対応する前記後続のシーケンス番号が、前記前のオーバーヘッドメッセージに関連する前記情報が記憶された後に少なくとも６００秒取得される、請求項１３に記載のコンピュータ可読記憶媒体。
【請求項１５】
コンピュータに、
前記対応する後続のシーケンス番号が前記記憶されたシーケンス番号とは異なるとき、前記後続のオーバーヘッドメッセージを取得することと、
前記後続のシーケンス番号を含む、前記後続のオーバーヘッドメッセージに関連する情報を記憶することと
を行わせるためのプログラミングをさらに備える、請求項１３に記載のコンピュータ可読記憶媒体。
【請求項１６】
通信インターフェースと、
前のオーバーヘッドメッセージに対応するセクタインジケータと、前記前のオーバーヘッドメッセージに対応する少なくとも１つのシーケンス番号とを備える記憶媒体と、
前記通信インターフェースと前記記憶媒体とに結合された処理回路であって、
前記通信インターフェースを介して、それぞれ後続のオーバーヘッドメッセージに対応する後続のセクタインジケータと少なくとも１つの後続のシーケンス番号とを受信することと、
前記後続のセクタインジケータの値が、前記記憶媒体に記憶された前記セクタインジケータの前記値と同じであるかどうかを判断することと、
前記少なくとも１つの後続のシーケンス番号が、前記記憶媒体に記憶された前記少なくとも１つのシーケンス番号と同じであるかどうかを判断することと、
前記後続のセクタインジケータが、前記記憶媒体に記憶された前記セクタインジケータと同じであるとき、および前記少なくとも１つの後続のシーケンス番号が、前記記憶媒体に記憶された前記少なくとも１つのシーケンス番号と同じであるとき、前記後続のオーバーヘッドメッセージを無視することと
を行うように適応された処理回路と
を備える、アクセス端末。
【請求項１７】
前記後続のセクタインジケータが、前記後続のオーバーヘッドメッセージを含む一般ページメッセージ中に少なくとも１つの予約済みビットの値を備える、請求項１６に記載のアクセス端末。
【請求項１８】
前記処理回路が、
前記後続のセクタインジケータが、前記記憶媒体に記憶された前記セクタインジケータとは異なるとき、前記後続のオーバーヘッドメッセージを取得すること
を行うようにさらに適応された、請求項１６に記載のアクセス端末。
【請求項１９】
前記処理回路が、
前記少なくとも１つの後続のシーケンス番号が、前記記憶媒体に記憶された前記少なくとも１つのシーケンス番号とは異なるとき、前記後続のオーバーヘッドメッセージを取得すること
を行うようにさらに適応された、請求項１６に記載のアクセス端末。
【請求項２０】
アクセス端末上で動作可能な方法であって、
それぞれ後続のオーバーヘッドメッセージに対応する後続のセクタインジケータと少なくとも１つの後続のシーケンス番号とを取得することと、
前記後続のセクタインジケータが、記憶されたセクタインジケータと同じであるかどうかを判断することと、
前記少なくとも１つの後続のシーケンス番号が、少なくとも１つの記憶されたシーケンス番号と同じであるかどうかを判断することと、
前記後続のセクタインジケータが、前記記憶されたセクタインジケータと同じであるとき、および前記少なくとも１つの後続のシーケンス番号が、前記少なくとも１つの記憶されたシーケンス番号と同じであるとき、前記後続のオーバーヘッドメッセージを無視することと
を備える、方法。
【請求項２１】
前記後続のセクタインジケータと前記少なくとも１つの後続のシーケンス番号とを取得するより前に、前記記憶されたセクタインジケータと前記少なくとも１つの記憶されたシーケンス番号とを備える前のオーバーヘッドメッセージを受信することと、
前記記憶されたセクタインジケータと前記少なくとも１つの記憶されたシーケンス番号とを記憶することと
をさらに備える、請求項２０に記載の方法。
【請求項２２】
前記後続のセクタインジケータと前記少なくとも１つの後続のシーケンス番号とを取得することが、
前記セクタインジケータと前記後続のオーバーヘッドメッセージとを含む一般ページメッセージを受信すること
を備える、請求項２０に記載の方法。
【請求項２３】
前記セクタインジケータと前記後続のオーバーヘッドメッセージとを含む前記一般ページメッセージを受信することが、
前記一般ページメッセージの少なくとも１つの予約済みビットの値として前記セクタインジケータを含む前記一般ページメッセージを受信すること
を備える、請求項２２に記載の方法。
【請求項２４】
前記後続のセクタインジケータが、前記記憶されたセクタインジケータと同じであるかどうかを判断することが、
前記後続のオーバーヘッドメッセージに対応する少なくとも１つの後続の予約済みビットの値が、前のオーバーヘッドメッセージに対応する少なくとも１つの予約済みビットの記憶された値と同じであるかどうかを判断すること
を備える、請求項２０に記載の方法。
【請求項２５】
前記後続のセクタインジケータが、前記記憶されたセクタインジケータとは異なるとき、前記後続のオーバーヘッドメッセージを受信すること
をさらに備える、請求項２０に記載の方法。
【請求項２６】
前記少なくとも１つの後続のシーケンス番号が、前記少なくとも１つの記憶されたシーケンス番号とは異なるとき、前記後続のオーバーヘッドメッセージを受信すること
をさらに備える、請求項２０に記載の方法。
【請求項２７】
それぞれ後続のオーバーヘッドメッセージに対応する後続のセクタインジケータと少なくとも１つの後続のシーケンス番号とを取得するための手段と、
前記後続のセクタインジケータが、記憶されたセクタインジケータと同じであるかどうかを判断するための手段と、
前記少なくとも１つの後続のシーケンス番号が、少なくとも１つの記憶されたシーケンス番号と同じであるかどうかを判断するための手段と、
前記後続のセクタインジケータが、前記記憶されたセクタインジケータと同じであるとき、および前記少なくとも１つの後続のシーケンス番号が、前記少なくとも１つの記憶されたシーケンス番号と同じであるとき、前記後続のオーバーヘッドメッセージを無視するための手段と
を備える、アクセス端末。
【請求項２８】
前記後続のセクタインジケータが、前記後続のオーバーヘッドメッセージに対応する少なくとも１つの予約済みビットの値を備え、
前記記憶されたセクタインジケータが、前のオーバーヘッドメッセージに対応する少なくとも１つの予約済みビットの値を備える、請求項２７に記載のアクセス端末。
【請求項２９】
前記後続のセクタインジケータが、前記記憶されたセクタインジケータとは異なるとき、前記後続のオーバーヘッドメッセージを受信するための手段
をさらに備える、請求項２７に記載のアクセス端末。
【請求項３０】
前記少なくとも１つの後続のシーケンス番号が、前記少なくとも１つの記憶されたシーケンス番号とは異なるとき、前記後続のオーバーヘッドメッセージを受信するための手段
をさらに備える、請求項２７に記載のアクセス端末。
【請求項３１】
コンピュータに、
それぞれ後続のオーバーヘッドメッセージに対応する後続のセクタインジケータと少なくとも１つの後続のシーケンス番号とを取得することと、
前記後続のセクタインジケータが、記憶されたセクタインジケータと同じであるかどうかを判断することと、
前記少なくとも１つの後続のシーケンス番号が、少なくとも１つの記憶されたシーケンス番号と同じであるかどうかを判断することと、
前記後続のセクタインジケータが、前記記憶されたセクタインジケータと同じであるとき、および前記少なくとも１つの後続のシーケンス番号が、前記少なくとも１つの記憶されたシーケンス番号と同じであるとき、前記後続のオーバーヘッドメッセージを無視することと
を行わせるためのプログラミングを備える、コンピュータ可読記憶媒体。
【請求項３２】
前記後続のセクタインジケータが、前記後続のオーバーヘッドメッセージに対応する少なくとも１つの予約済みビットの値を備え、
前記記憶されたセクタインジケータが、前のオーバーヘッドメッセージに対応する少なくとも１つの予約済みビットの値を備える、請求項３１に記載のコンピュータ可読記憶媒体。
【請求項３３】
コンピュータに、
前記後続のセクタインジケータが、前記記憶されたセクタインジケータとは異なるとき、前記後続のオーバーヘッドメッセージを受信すること
を行わせるためのプログラミングをさらに備える、請求項３１に記載のコンピュータ可読記憶媒体。
【請求項３４】
コンピュータに、
前記少なくとも１つの後続のシーケンス番号が、前記記憶媒体に記憶された前記少なくとも１つのシーケンス番号とは異なるとき、前記後続のオーバーヘッドメッセージを受信すること
を行わせるためのプログラミングをさらに備える、請求項３１に記載のコンピュータ可読記憶媒体。
【請求項３５】
通信インターフェースと、
記憶媒体と、
前記通信インターフェースと前記記憶媒体とに結合された処理回路であって、
メッセージを別のセクタに関連するメッセージと区別するように適応されたセクタインジケータを含む前記メッセージを取得することと、
前記通信インターフェースを介して前記メッセージを送信することと
を行うように適応された処理回路と
を備える、ネットワークノード。
【請求項３６】
前記取得されたメッセージが一般ページメッセージを備える、請求項３５に記載のネットワークノード。
【請求項３７】
前記セクタインジケータが、
前記取得されたメッセージを別のセクタに関連するメッセージと区別するように適応された値に設定された前記取得されたメッセージの少なくとも１つの予約済みビット
を備える、請求項３５に記載のネットワークノード。
【請求項３８】
前記取得されたメッセージが、１つまたは複数の対応するシーケンス番号を備えるオーバーヘッドメッセージを含む、請求項３５に記載のネットワークノード。
【請求項３９】
前記処理回路が、
パイロット上で前記取得されたメッセージを送信することであって、前記パイロットが、前記他のセクタによって採用されるパイロットと同じパイロットである、送信すること
を行うように適応された、請求項３５に記載のネットワークノード。
【請求項４０】
前記処理回路が、
前記メッセージが取得される前に、前記他のセクタが同じパイロットを採用すると判断すること
を行うように適応された、請求項３９に記載のネットワークノード。
【請求項４１】
メッセージを別のセクタに関連するメッセージと区別するように適応されたセクタインジケータを備える前記メッセージを取得することと、
前記取得されたメッセージを送信することと
を備える、ネットワークノード上で動作可能な方法。
【請求項４２】
前記メッセージを別のセクタに関連するメッセージと区別するように適応された前記セクタインジケータを備える前記メッセージを取得することが、
一般ページメッセージを別のセクタに関連する一般ページメッセージと区別するように適応されたセクタインジケータを備える前記一般ページメッセージを生成すること
を備える、請求項４１に記載の方法。
【請求項４３】
前記メッセージを別のセクタに関連するメッセージと区別するように適応された前記セクタインジケータを備える前記メッセージを取得することが、
前記取得されたメッセージを別のセクタに関連するメッセージと区別するように適応された値に設定された少なくとも１つの予約済みビットを備える前記メッセージを取得すること
を備える、請求項４１に記載の方法。
【請求項４４】
前記メッセージを取得することが、
１つまたは複数の対応するシーケンス番号をもつオーバーヘッドメッセージを備える前記メッセージを取得すること
をさらに備える、請求項４１に記載の方法。
【請求項４５】
前記取得メッセージを送信することが、
パイロット上で前記取得メッセージを送信することであって、前記パイロットが、前記他のセクタによって採用されるパイロットと同じパイロットである、送信すること
を備える、請求項４１に記載の方法。
【請求項４６】
前記メッセージを取得するより前に、前記他のセクタが同じパイロットを採用すると判断すること
をさらに備える、請求項４５に記載の方法。
【請求項４７】
メッセージを別のセクタに関連するメッセージと区別するように適応されたセクタインジケータを備える前記メッセージを取得するための手段と、
前記取得されたメッセージを送信するための手段と
を備える、ネットワークノード。
【請求項４８】
前記取得されたメッセージが一般ページメッセージを備える、請求項４７に記載のネットワークノード。
【請求項４９】
前記セクタインジケータが、前記取得されたメッセージを別のセクタに関連するメッセージと区別するように適応された値に設定された前記取得されたメッセージの少なくとも１つの予約済みビットを備える、請求項４７に記載のネットワークノード。
【請求項５０】
前記取得されたメッセージが、１つまたは複数の対応するシーケンス番号を備えるオーバーヘッドメッセージを備える、請求項４７に記載のネットワークノード。
【請求項５１】
コンピュータに、
メッセージを別のセクタに関連するメッセージと区別するように適応されたセクタインジケータを備える前記メッセージを生成することと、
前記生成されたメッセージを送信することと
を行わせるためのプログラミングを備える、コンピュータ可読記憶媒体。
【請求項５２】
前記生成されたメッセージが一般ページメッセージを備える、請求項５１に記載のコンピュータ可読記憶媒体。
【請求項５３】
前記セクタインジケータが、前記生成されたメッセージを別のセクタに関連するメッセージと区別するように適応された値に設定された前記生成されたメッセージの少なくとも１つの予約済みビットを備える、請求項５１に記載のコンピュータ可読記憶媒体。
【請求項５４】
前記生成されたメッセージが、１つまたは複数の対応するシーケンス番号を備えるオーバーヘッドメッセージを含む、請求項５１に記載のコンピュータ可読記憶媒体。
【請求項５５】
前記生成されたメッセージがパイロット上で送信され、前記パイロットが、前記他のセクタによって採用されるパイロットと同じである、請求項５１に記載のコンピュータ可読記憶媒体。
【請求項５６】
コンピュータに、
前記メッセージが生成される前に、前記他のセクタが同じパイロットを採用すると判断すること
を行わせるためのプログラミングをさらに備える、請求項５５に記載のコンピュータ可読記憶媒体。
【請求項５７】
ワイヤレス通信のために構成されたワイヤレス通信デバイスであって、
通信インターフェースと、
第１のオーバーヘッドメッセージに関連する少なくとも１つのシーケンス番号を含むオーバーヘッドメッセージ情報を記憶する記憶媒体と、
第２のオーバーヘッドメッセージに関連する少なくとも１つの後続のシーケンス番号を受信し、前記少なくとも１つの後続のシーケンス番号が、前記少なくとも１つのシーケンス番号と同じであるとき、前記少なくとも１つの後続のオーバーヘッドメッセージを無視するように前記デバイスに命令するように構成されたプロセッサと
を備えるデバイス。
【発明の詳細な説明】
【技術分野】
【０００１】
優先権主張
本特許出願は、本出願の譲受人に譲渡され、以下に完全に記載されるかのように、すべての適用可能な目的のために参照により本明細書に明確に組み込まれる、２０１２年１月９日に出願された「Devices, Systems, and Methods to Reduce Overhead Updates In Wireless Communication Systems」と題する仮出願第６１／５８４，７６８号の優先権を主張する。
【０００２】
本特許出願で説明する技術は、一般にワイヤレス通信に関し、より詳細には、ワイヤレス通信システムで動作するアクセス端末のためのオーバーヘッドメッセージ更新を容易にするための方法およびデバイスに関する。
【背景技術】
【０００３】
ワイヤレス通信システムは、音声、ビデオ、パケットデータ、メッセージング、ブロードキャストなど、様々なタイプの通信コンテンツを提供するために広く展開されている。これらのシステムは、ワイヤレス通信を容易にするように適応された様々なタイプのデバイスによってアクセスされ得、複数のデバイスが、利用可能なシステムリソース（たとえば、時間、周波数、および電力）を共有する。そのようなワイヤレス通信システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
複数のタイプのデバイスが、そのようなワイヤレス通信システムを利用するように適応される。そのようなデバイスは一般にアクセス端末と呼ばれることがある。しばしば、アクセス端末は、アクセス端末がワイヤレス通信システムへのアクセスを維持しながら地理的領域全体にわたって移動することができるように、モビリティのために適応される。一方、いくつかのアクセス端末は、ロケーションの変化をほとんど受けないことがある。ロケーションの変化をほとんど受けないアクセス端末のいくつかの例としては、（マシンタイプ通信（machine-type communication）またはＭＴＣとも呼ばれることがある）マシンツーマシン（Ｍ２Ｍ：machine-to-machine）通信のために適応されたアクセス端末がある。Ｍ２Ｍ適応アクセス端末は、少なくとも実質的にユーザ対話なしに動作するように適応されたアクセス端末を含み得る。
【発明の概要】
【０００５】
以下で、本開示の１つまたは複数の態様の基本的理解を与えるために、そのような態様の簡略化された概要を提示する。この概要は、本開示のすべての企図された特徴の包括的な概観ではなく、本開示のすべての態様の主要または重要な要素を識別するものでも、本開示のいずれかまたはすべての態様の範囲を定めるものでもない。その唯一の目的は、後で提示するより詳細な説明の導入として、本開示の１つまたは複数の態様のいくつかの概念を簡略化された形で提示することである。
【０００６】
様々なタイプのアクセス端末は、しばしば、バッテリーなどの限られた電源で動作する。したがって、これらの限られた電源の寿命を改善するための機能が望ましいことがある。本開示の様々な例および実装形態は、ワイヤレス通信システムにおけるオーバーヘッド更新プロシージャを最適化することによって電力節約を容易にする。
【０００７】
本開示の少なくとも１つの態様によれば、アクセス端末は、オーバーヘッド更新プロシージャを最適化することによって電力節約を容易にし得る。１つまたは複数の例によれば、アクセス端末は、通信インターフェースと記憶媒体とを含み得る。通信インターフェースおよび記憶媒体は、処理回路（たとえば、コントローラまたはプロセッサ）に結合され得る。記憶媒体は、前のオーバーヘッドメッセージに関連する少なくとも１つのシーケンス番号を含むオーバーヘッドメッセージ情報を含み得る。処理回路は、アクセス端末が少なくとも実質的に固定であると判断するように適応され得る。１つまたは複数の後続のシーケンス番号はワイヤレス通信を介して受信され得る。（１つまたは複数の）後続のシーケンス番号は、前のオーバーヘッドメッセージの後に送信される後続のオーバーヘッドメッセージに関連付けられ得る。処理回路は、少なくとも１つの後続のシーケンス番号が、記憶媒体に記憶された少なくとも１つのシーケンス番号と同じであるとき、後続のオーバーヘッドメッセージを無視するように適応され得る。いくつかのシナリオでは、これは、アクセス端末が少なくとも実質的に固定であるという判断の後に行われ得る。
【０００８】
１つまたは複数のさらなる例によれば、アクセス端末は、通信インターフェースと記憶媒体とを含み得る。これらの構成要素は処理回路に結合され得る。記憶媒体は、前のオーバーヘッドメッセージに対応するセクタインジケータと、前のオーバーヘッドメッセージに対応する少なくとも１つのシーケンス番号とを含み得る。処理回路は、通信インターフェースを介して、それぞれ後続のオーバーヘッドメッセージに対応する後続のセクタインジケータと少なくとも１つの後続のシーケンス番号とを受信するように適応され得る。後続のセクタインジケータが、記憶媒体に記憶されたセクタインジケータと同じであるとき、および少なくとも１つの後続のシーケンス番号が、記憶媒体に記憶された少なくとも１つのシーケンス番号と同じであるとき、処理回路は、後続のオーバーヘッドメッセージを無視するように適応され得る。
【０００９】
本開示のさらなる態様は、そのような方法を実行するための手段を含む１つまたは複数のアクセス端末上で動作可能な方法を与える。そのような方法の１つまたは複数の例としては、アクセス端末が少なくとも実質的に固定であると判断することがあり得る。前のオーバーヘッドメッセージに関連する情報が記憶され得る。情報は、前のオーバーヘッドメッセージに対応する少なくとも１つのシーケンス番号を含み得る。後続のオーバーヘッドメッセージに対応する１つまたは複数の後続のシーケンス番号が、その後受信され得る。アクセス端末が少なくとも実質的に固定であると判断したことに応答して、少なくとも１つの対応する後続のシーケンス番号が、少なくとも１つの記憶されたシーケンス番号と同じであるとき、後続のオーバーヘッドメッセージは無視され得る。
【００１０】
そのような方法の１つまたは複数のさらなる例としては、それぞれ後続のオーバーヘッドメッセージに対応する後続のセクタインジケータと少なくとも１つの後続のシーケンス番号とを取得することがあり得る。後続のセクタインジケータが、記憶されたセクタインジケータと同じであるかどうか、および少なくとも１つの後続のシーケンス番号が、少なくとも１つの記憶されたシーケンス番号と同じであるかどうかの判断が行われ得る。後続のセクタインジケータが、記憶されたセクタインジケータと同じであるとき、および少なくとも１つの後続のシーケンス番号が、少なくとも１つの記憶されたシーケンス番号と同じであるとき、後続のオーバーヘッドメッセージが無視され得る。
【００１１】
またさらなる態様は、アクセス端末などのコンピュータ上で動作可能なプログラミングを備えるコンピュータ可読記憶媒体を含む。１つまたは複数の例によれば、そのようなプログラミングは、アクセス端末が少なくとも実質的に固定であると判断することをコンピュータに行わせるように適応され得る。前のオーバーヘッドメッセージに関連する情報も記憶され得、情報は、前のオーバーヘッドメッセージに関連するシーケンス番号を含む。プログラミングは、後続のオーバーヘッドメッセージに関連する後続のシーケンス番号が、記憶されたシーケンス番号と同じであるとき、およびアクセス端末が少なくとも実質的に固定であると判断されるとき、後続のオーバーヘッドメッセージを無視することをコンピュータに行わせるようにさらに適応され得る。
【００１２】
１つまたは複数の追加の例によれば、そのようなプログラミングは、それぞれ後続のオーバーヘッドメッセージに対応する後続のセクタインジケータと少なくとも１つの後続のシーケンス番号とを取得することをコンピュータに行わせるように適応され得る。プログラミングは、後続のセクタインジケータが、記憶されたセクタインジケータと同じであるかどうか、および少なくとも１つの後続のシーケンス番号が、少なくとも１つの記憶されたシーケンス番号と同じであるかどうかを判断することをコンピュータに行わせるようにさらに適応され得る。プログラミングは、後続のセクタインジケータが、記憶されたセクタインジケータと同じであるとき、および少なくとも１つの後続のシーケンス番号が、少なくとも１つの記憶されたシーケンス番号と同じであるとき、後続のオーバーヘッドメッセージを無視することをコンピュータに行わせるようにさらに適応され得る。
【００１３】
本開示の少なくとも１つの態様によれば、ネットワークノードは、オーバーヘッド更新プロシージャを最適化することによって電力節約を容易にし得る。１つまたは複数の例によれば、そのようなネットワークノードは、それぞれ処理回路に結合される通信インターフェースと記憶媒体とを含み得る。処理回路は、メッセージを別のセクタに関連するメッセージと区別するように適応されたセクタインジケータを含むメッセージを取得し、通信インターフェースを介してメッセージを送信するように適応され得る。
【００１４】
本開示のまたさらなる態様は、そのような方法を実行するための手段を含む１つまたは複数のネットワークノード上で動作可能な方法を与える。そのような方法の１つまたは複数の例としては、メッセージを別のセクタに関連するメッセージと区別するように適応されたセクタインジケータを備えるメッセージを取得することと、取得されたメッセージを送信することとがあり得る。
【００１５】
またさらなる態様は、ネットワークノードなどのコンピュータ上で動作可能なプログラミングを備えるコンピュータ可読記憶媒体を含む。１つまたは複数の例によれば、そのようなプログラミングは、メッセージを別のセクタに関連するメッセージと区別するように適応されたセクタインジケータを備えるメッセージを生成することと、生成されたメッセージを送信することとをコンピュータに行わせるように適応され得る。
【００１６】
本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明する有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明する本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１７】
【図１】本開示の１つまたは複数の態様が適用例を見つけ得るネットワーク環境のブロック図。
【図２】いくつかの実施形態による、図１のワイヤレス通信システムの選択構成要素を示すブロック図。
【図３】いくつかの実施形態による、前のアクセス試行に関連するアクセスプローブと後続のアクセス試行に関連するアクセスプローブとを示すブロック図。
【図４】いくつかの実施形態による、アクセス端末における電力消費を低減しながらアクセス試行を容易にするための一例を示す流れ図。
【図５】いくつかの実施形態による、アクセス端末の選択構成要素を示すブロック図。
【図６】いくつかの実施形態による、アクセス端末上で動作可能な方法を示す流れ図。
【図７】いくつかの実施形態による、ネットワークノードの選択構成要素を示すブロック図。
【図８】いくつかの実施形態による、ネットワークノード上で動作可能な方法を示す流れ図。
【図９】
【発明を実施するための形態】
【００１８】
添付の図面に関して以下に示す説明は、様々な構成を説明するものであり、本明細書で説明する概念および特徴が実施され得る唯一の構成を表すものではない。発明を実施するための形態は、様々な概念を完全に理解するための具体的な説明を含む。ただし、これらの概念はこれらの具体的な詳細なしに実施され得ることが当業者には明らかであろう。いくつかの例では、説明される概念および特徴を不明瞭にしないように、よく知られている回路、構造、技法、および構成要素をブロック図の形式で示す。
【００１９】
本開示全体にわたって提示する様々な概念は、幅広い様々な電気通信システム、ネットワークアーキテクチャ、および通信規格にわたって実施され得る。本開示のいくつかの態様について、ＣＤＭＡ（たとえば、ＣＤＭＡ２０００）および第３世代パートナーシッププロジェクト２（３ＧＰＰ２：3rd Generation Partnership Project 2）１ｘプロトコルおよびシステムに関して以下で説明し、関係する用語が、以下の説明の大部分において見つけられ得る。しかしながら、本開示の１つまたは複数の態様が、１つまたは複数の他のワイヤレス通信プロトコルおよびシステムにおいて採用され、それらの中に含まれ得ることを、当業者は認識されよう。
【００２０】
図１は、本開示の１つまたは複数の態様が適用例を見つけ得るネットワーク環境のブロック図である。ワイヤレス通信システム１００は、１つまたは複数の基地局１０２とアクセス端末１０４との間のワイヤレス通信を容易にするように適応される。基地局１０２とアクセス端末１０４とは、ワイヤレス信号を介して互いに対話するように適応され得る。いくつかの事例では、そのようなワイヤレス相互作用は、複数のキャリア（異なる周波数の波形信号）上で行われ得る。各被変調信号は、制御情報（たとえば、パイロット信号）、オーバーヘッド情報、データなどを搬送し得る。
【００２１】
基地局１０２は、基地局アンテナを介してアクセス端末１０４とワイヤレス通信することができる。基地局１０２はそれぞれ、概して、（１つまたは複数のアクセス端末１０４のための）ワイヤレス通信システム１００へのワイヤレス接続性を容易にするように適応されたデバイスとして実装され得る。基地局１０２は、基地局コントローラ（図２参照）の制御下でアクセス端末１０４と通信するように構成される。基地局１０２のサイトの各々は、それぞれの地理的エリアに通信カバレージを与えることができる。各基地局１０２のためのカバレージエリア１０６は、ここでは、セル１０６−ａ、１０６−ｂ、または１０６−ｃとして識別される。基地局１０２のためのカバレージエリア１０６は、（図示しないが、カバレージエリアの一部分のみを構成する）セクタに分割され得る。システム１００は、異なるタイプの基地局１０２（たとえば、マクロ基地局、マイクロ基地局、および／またはピコ基地局）を含み得る。
【００２２】
１つまたは複数のアクセス端末１０４はカバレージエリア１０６全体にわたって分散され得る。各アクセス端末１０４は１つまたは複数の基地局１０２と通信し得る。アクセス端末１０４は、概して、ワイヤレス信号を介して１つまたは複数の他のデバイスと通信する１つまたは複数のデバイスを含み得る。そのようなアクセス端末１０４は、当業者によって、ユーザ機器（ＵＥ）、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、モバイル端末、ワイヤレス端末、リモート端末、ハンドセット、端末、ユーザエージェント、モバイルクライアント、クライアント、または何らかの他の好適な用語で呼ばれることもある。アクセス端末１０４は、モバイル端末および／または少なくとも実質的に固定の端末を含み得る。アクセス端末１０４の例としては、モバイルフォン、コンピュータ、スマートフォン、ページャ、ワイヤレスモデム、携帯情報端末、個人情報マネージャ（ＰＩＭ）、パーソナルメディアプレーヤ、パームトップコンピュータ、ラップトップコンピュータ、タブレットコンピュータ、テレビジョン、アプライアンス、エンターテインメントデバイス、電子リーダー、デジタルビデオレコーダ（ＤＶＲ）、マシンツーマシン（Ｍ２Ｍ）対応デバイス、および／または少なくとも部分的にワイヤレスまたはセルラーネットワークを介して通信する他の通信／コンピューティングデバイスがある。
【００２３】
図２を参照すると、少なくとも１つの例による、ワイヤレス通信システム１００の選択構成要素を示すブロック図が示されている。図示のように、基地局１０２は、無線アクセスネットワーク（ＲＡＮ）２０２の少なくとも一部として含まれる。無線アクセスネットワーク（ＲＡＮ）２０２は、概して、１つまたは複数のアクセス端末１０４と、コアネットワーク２０４中に含まれるネットワークエンティティなどの１つまたは複数の他のネットワークエンティティとの間のトラフィックおよびシグナリングを管理するように適応される。無線アクセスネットワーク２０２は、様々な実装形態によれば、当業者によって、基地局サブシステム（ＢＳＳ）、アクセスネットワーク、ＧＳＭ（登録商標）エッジ無線アクセスネットワーク（ＧＥＲＡＮ：GSM Edge Radio Access Network）、ＵＭＴＳ地上波無線アクセスネットワーク（ＵＴＲＡＮ：UMTS Terrestrial Radio Access Network）などと呼ばれることがある。
【００２４】
１つまたは複数の基地局１０２に加えて、無線アクセスネットワーク２０２は、当業者によって無線ネットワークコントローラ（ＲＮＣ）と呼ばれることもある基地局コントローラ（ＢＳＣ）２０６を含むことができる。基地局コントローラ２０６は、概して、基地局コントローラ２０６に接続された１つまたは複数の基地局１０２に関連する１つまたは複数のカバレージエリア内でのワイヤレス接続の確立、解放、および維持を担当する。基地局コントローラ２０６は、コアネットワーク２０４の１つまたは複数のノードまたはエンティティに通信可能に結合され得る。
【００２５】
コアネットワーク２０４は、無線アクセスネットワーク２０２を介して接続されたアクセス端末１０４に様々なサービスを提供するワイヤレス通信システム１００の一部分である。コアネットワーク２０４は、回線交換（ＣＳ：circuit-switched）ドメインとパケット交換（ＰＳ：packet-switched）ドメインとを含み得る。回線交換エンティティのいくつかの例としては、ＭＳＣ／ＶＬＲ２０８として識別された、モバイル交換センター（ＭＳＣ：mobile switching center）およびビジターロケーションレジスタ（ＶＬＲ：visitor location register）、ならびにゲートウェイＭＳＣ（ＧＭＳＣ：Gateway MSC）２１０がある。パケット交換要素のいくつかの例としては、サービングＧＰＲＳサポートノード（ＳＧＳＮ：Serving GPRS Support Node）２１２およびゲートウェイＧＰＲＳサポートノード（ＧＧＳＮ：Gateway GPRS Support Node）２１４がある。ＥＩＲ、ＨＬＲ、ＶＬＲおよびＡｕＣなど、他のネットワークエンティティが含まれ得、それらの一部または全部が回線交換ドメインとパケット交換ドメインの両方によって共有され得る。アクセス端末１０４は、回線交換ドメインを介して公衆交換電話網（ＰＳＴＮ：public switched telephone network）２１６へのアクセスを取得し、パケット交換ドメインを介してＩＰネットワーク２１８へのアクセスを取得することができる。
【００２６】
アクセス端末１０４がワイヤレス通信システム１００内で動作するので、アクセス端末１０４は、一般に、特定のセルによって送信されるパイロットに対応するオーバーヘッドメッセージを取得する。そのようなオーバーヘッドメッセージは、概して、周期的にブロードキャストされる。たとえば、ＣＤＭＡ２０００  １ｘ規格を採用するワイヤレス通信システム１００では、基地局１０２は、１．２８秒ごとにページングチャネル（ＰＣＨ）を介してオーバーヘッドメッセージをブロードキャストする。オーバーヘッドメッセージは、一般に、１つまたは複数のシーケンス番号（たとえば、３ＧＰＰ２規格においてＣＯＮＦＩＧ＿ＭＳＧ＿ＳＥＱおよびＡＣＣ＿ＭＳＧ＿ＳＥＱとして識別される６ビットシーケンス番号）を含む。シーケンス番号は、ページングチャネル（ＰＣＨ）上で２つのページングスロットごとに少なくとも１回送信される一般ページメッセージ中に含まれ得る。
【００２７】
多くの事例では、複数の連続的にブロードキャストされるオーバーヘッドメッセージは同様のものであり得る。すなわち、かなりの時間期間とともに周期的オーバーヘッドメッセージに関連する情報に変化がないことがある。一般に、同じまたは同様の情報を含むオーバーヘッドメッセージは、共通シーケンス番号を採用することができる。シーケンス番号はメッセージのセットに対応する。セット中のメッセージのうちの１つに変化があるとき、対応するシーケンス番号が増分される。アクセス端末１０４は、バッテリー電力を節約するために、オーバーヘッドメッセージ情報を記憶し、シーケンス番号を有する後続のオーバーヘッドメッセージを無視することを許可され得る。しかしながら、シーケンス番号にかかわらず、アクセス端末１０４が６００秒（１０分）以上の間後続のオーバーヘッドメッセージを取得しなかった場合、記憶された情報がもはや現在のものでないと見なされる。後続のオーバーヘッドメッセージを受信することなしに６００秒の期間が満了した後、シーケンス番号がそのままである場合でも、従来のアクセス端末は、再び、後続のオーバーヘッドメッセージを取得し、関連する情報を記憶するように適応される。
【００２８】
周期的オーバーヘッドメッセージが１．２８秒ごとに送信されるので、アクセス端末１０４（たとえば、受信機）は、低電力状態に入る前にオーバーヘッドメッセージを取得するために、１．２８秒もの間電源投入され得る。したがって、アクセス端末１０４は、オーバーヘッドメッセージを取得し、オーバーヘッドメッセージ情報電流を保つために、かなりの量の電力を消費する可能性がある。他の実施形態では、１．２８秒に加えて他の周期的周波数が使用され得る。
【００２９】
いくつかの例では、アクセス端末１０４のうちの１つまたは複数は固定または実質的に固定であり得る。そのような固定または実質的に固定のアクセス端末１０４の一例としては、マシンツーマシン（Ｍ２Ｍ）対応アクセス端末１０４がある。Ｍ２Ｍ対応アクセス端末１０４は、少なくとも実質的にユーザ対話なしに、ワイヤレス通信システム１００を介して１つまたは複数のデバイスとワイヤレス通信するように適応される。Ｍ２Ｍアクセス端末１０４は、ワイヤレス通信システム１００を介してアプリケーション（たとえば、ソフトウェアプログラム）に中継されるイベントをキャプチャするように適応された通信デバイス（たとえば、温度をキャプチャするセンサー、インベントリレベルをキャプチャするためのメーターなど）を備え得、イベントデータは、有意味な情報（たとえば、温度を下げる／上げる必要がある、アイテムを補充する必要があるなど）に変換され得る。限定ではなく例として、Ｍ２Ｍアクセス端末１０４は、サーモスタット、水量計、スプリンクラーシステム、スマートメーター、アプライアンスなどを含み得る。
【００３０】
Ｍ２Ｍ対応アクセス端末は、ワイヤレス通信に対して比較的非アクティブであり得る。したがって、Ｍ２Ｍ対応アクセス端末は、しばしば、比較的長い時間期間の間、低電力または休止状態のままであり、ワイヤレス通信システムを介してイベントデータを送信するために時々起動する。さらに、そのようなＭ２Ｍ対応アクセス端末の固定性質により、セルおよび／またはセル内のセクタ間でＭ２Ｍが変化する可能性が実質的に低くなり得る。本開示の１つまたは複数の態様に従って、少なくとも実質的に固定であるアクセス端末は、連続オーバーヘッドメッセージがそのままであるとき、新しいオーバーヘッドメッセージを収集することをなしで済ませるように適応される。図３は、少なくとも１つの例による、オーバーヘッドメッセージを監視し、更新するための一例を示す流れ図である。この例では、基地局１０２とアクセス端末１０４とが示されている。
【００３１】
最初に、アクセス端末１０４は、３０２においてそれのモビリティタイプが固定または実質的に固定であると判断することができる。固定または実質的に固定のモビリティタイプのこの判断は、シーケンス番号がそのままである限り、６００秒の制限を超えてアクセス端末１０４がオーバーヘッドメッセージを収集することなしで済ませ得ることをアクセス端末１０４に示すことができる。すなわち、アクセス端末１０４は少なくとも実質的に固定であるので、それが起動するたびに同じパイロット信号を受信する可能性があり、前に記憶されたオーバーヘッドメッセージがそのままである可能性がある。
【００３２】
アクセス端末１０４が少なくとも実質的に固定である（すなわち、固定モビリティタイプを有する）と判断すると、アクセス端末１０４は、３０４において、基地局１０２によってブロードキャストされた前のオーバーヘッドメッセージを受信することができる。アクセス端末１０４は、３０６において、前のオーバーヘッドメッセージに対応するシーケンス番号を含む、前のオーバーヘッドメッセージに関連する情報を記憶することができる。オーバーヘッドメッセージ情報を記憶すると、アクセス端末１０４は、電力を節約するために低電力状態に入り得る。
【００３３】
３０８において、オーバーヘッドメッセージ情報にいかなる変化もなしに６００秒以上の期間が経過し得る。たとえば、アクセス端末１０４は、３０８のこの期間中にオーバーヘッドメッセージを受信し得、受信したオーバーヘッドメッセージに関連するシーケンス番号を確認し得る。シーケンス番号がそのままである限り、アクセス端末１０４はオーバーヘッドメッセージを無視することができる。
【００３４】
オーバーヘッド情報を更新することなしでの６００秒の持続時間に続いて、本開示のアクセス端末１０４は、オーバーヘッド情報を更新すべきか否かを判断するために、受信したオーバーヘッドメッセージのシーケンス番号を監視し続けることができる。すなわち、それのモビリティタイプが固定または実質的に固定であると判断したことに応答して、アクセス端末１０４は、シーケンス番号に基づいてオーバーヘッドメッセージを受信すべきかどうかを判断し続ける。たとえば、３０８における６００秒以上の経過に続いて、３１０において、後続のオーバーヘッドメッセージをブロードキャストする。アクセス端末１０４は、後続のオーバーヘッドメッセージの残部を受信することなしに後続のオーバーヘッドメッセージに対応するシーケンス番号を取得することができる。アクセス端末１０４は固定または実質的に固定であるので、アクセス端末１０４は、３１４において、後続のオーバーヘッドメッセージに関連するシーケンス番号を、記憶されたオーバーヘッドメッセージ情報に関連するシーケンス番号と比較する。シーケンス番号が同じである場合、アクセス端末１０４は、３１４において、後続のオーバーヘッドメッセージを無視する。一方、シーケンス番号が異なる場合、アクセス端末１０４は、３１６において、オーバーヘッドメッセージを収集し、後続のオーバーヘッドメッセージ情報を記憶する。
【００３５】
この例では、固定または実質的に固定のアクセス端末１０４は、後続のオーバーヘッドメッセージを取得すべきか否かを判断するための６００秒の従来のしきい値を超えて（たとえば、無期限に）シーケンス番号を採用することができる。他の例では、アクセス端末１０４は固定でないことがある。アクセス端末１０４が固定でないとき、アクセス端末１０４は、オーバーヘッドメッセージを送信するために採用されるパイロット信号が、記憶されたオーバーヘッドメッセージ情報が受信されたパイロット信号と同じであるロケーションに移動し得るが、オーバーヘッドメッセージは異なるセクタに関係し得る。すなわち、アクセス端末１０４は、記憶された情報に関連する前のオーバーヘッドメッセージを受信するときに使用された周波数および擬似乱数（ＰＮ：pseudorandom number）シーケンスと同じ周波数および擬似乱数シーケンスを採用する近くのパイロット信号を受信し得るが、受信したパイロット信号は、異なるセクタに関連付けられ得、異なるオーバーヘッドメッセージ情報を含み得る。この例で、アクセス端末１０４がシーケンス番号のみに依拠した場合、アクセス端末１０４は、異なるセクタを識別することができず、２つのパイロット信号が同じシーケンス番号を採用する場合、新しいセクタについて更新することをスキップする。
【００３６】
本開示の少なくとも１つの態様によれば、ネットワークノードとアクセス端末とは、同じパイロット（たとえば、同じ周波数およびＰＮ）を採用する２つの異なるセクタから受信したオーバーヘッドメッセージを区別するように適応され得る。図４は、アクセス端末が固定であることも固定でないこともある少なくとも１つの例による、オーバーヘッドメッセージを監視し、更新するための一例を示す流れ図である。図示のように、アクセス端末１０４はネットワークノード４０２と通信することができる。ネットワークノード４０２は、図１および図２に示されている基地局１０２、基地局コントローラ２０６、および／またはＭＳＣ／ＶＬＲ２０８など、１つまたは複数のネットワーク要素を表し得る。
【００３７】
最初に、メッセージ４０４は、ネットワークノード４０２からのオーバーヘッドメッセージを含むネットワークノード４０２によって送信される。前述のように、受信したオーバーヘッドメッセージは、１つまたは複数のシーケンス番号を含む。オーバーヘッドメッセージに関連する１つまたは複数のシーケンス番号に加えて、メッセージ４０４はまた、メッセージを異なるセクタに関連する同様のメッセージと区別するように適応されたインジケータを含む。
【００３８】
例として、メッセージ４０４は、少なくともいくつかのワイヤレス通信システムにおいてオーバーヘッドメッセージを送信するために一般に採用される一般ページメッセージ（ＧＰＭ：general page message）であり得る。一般ページメッセージは、一般に、現在非割当ての目的のために予約された複数のビットを含む。これらのビットは、しばしば「予約済みビット」と呼ばれる。たとえば、ＣＤＭＡ２０００  １ｘ規格では、オーバーヘッドメッセージを送信するために採用される一般ページメッセージは、一般に、４つの予約済みビットを含む。１つまたは複数の例では、メッセージ４０４を異なるセクタに関連する同様のメッセージと区別するように適応されたインジケータは、一般ページメッセージの１つまたは複数の予約済みビットのために設定された値であり得る。たとえば、ネットワークノード４０２は、一般ページメッセージに関連する特定のセクタを識別するように適応された値に予約済みビットのうちの１つまたは複数を設定することができる。一般ページメッセージの受信の後に、アクセス端末１０４は、４０６において、一般ページメッセージに関連するセクタを識別するように適応されたインジケータ（たとえば、予約済みビットの値）とともに、オーバーヘッドメッセージ情報（たとえば、オーバーヘッドメッセージに関連するシーケンス番号）を記憶する。
【００３９】
後続の一般ページメッセージ（ＧＰＭ）４０８などの後続のメッセージは、前のメッセージ４０４と同じパイロット（たとえば、同じ周波数およびＰＮ）上で送信される。後続のメッセージ４０８はまた、１つまたは複数のシーケンス番号をもつオーバーヘッドメッセージと、一般ページメッセージに関連する特定のセクタを識別するように適応されたインジケータ（たとえば、値に設定される１つまたは複数の予約済みビット）とを含む。様々な例によれば、後続の一般ページメッセージ４０８は、前の一般ページメッセージ４０４を送信したのと同じネットワークノード４０２またはそれとは異なるネットワークノード４０２によって送信され得る。
【００４０】
アクセス端末１０４は、３１２において、後続の一般ページメッセージ中のインジケータ（たとえば、予約済みビットの値）を、記憶されたオーバーヘッドメッセージ情報に関連する記憶されたインジケータ（たとえば、記憶された予約済みビット値）と比較する。アクセス端末１０４はまた、４１０において、後続の一般ページメッセージのオーバーヘッドメッセージ中のシーケンス番号を、記憶されたオーバーヘッドメッセージ情報に関連するシーケンス番号と比較する。後続のインジケータ（たとえば、予約済みビット値）および後続のシーケンス番号が、記憶されたインジケータおよびシーケンス番号と同じである場合、アクセス端末１０４は、４１２において、後続のオーバーヘッドメッセージを無視する。一方、比較されたインジケータ（たとえば、予約済みビット値）および／または比較されたシーケンス番号が異なる場合、アクセス端末１０４は、４１４において、後続の一般ページメッセージ中で後続のオーバーヘッドメッセージを収集する。たとえば、比較されたインジケータ（たとえば、予約済みビット値）が異なる場合、アクセス端末１０４は、同じパイロットを採用する異なるセクタから一般ページメッセージを受信した可能性がある。異なるインジケータ（たとえば、予約済みビット値）に応答して、アクセス端末１０４は、新しいセクタに関連するオーバーヘッドメッセージ情報を取得する。同様に、比較されたシーケンス番号が異なる場合、上記で説明したように、オーバーヘッドメッセージ情報は変化しており、アクセス端末１０４は、新しいオーバーヘッドメッセージを取得する。
【００４１】
図５を参照すると、本開示の少なくとも一例による、アクセス端末５００の選択構成要素を示すブロック図が示されている。アクセス端末５００は、通信インターフェース５０４と記憶媒体５０６とに結合された、またはそれらと電気通信させられた処理回路５０２を含む。
【００４２】
処理回路５０２は、データを取得し、処理しおよび／または送り、データアクセスおよび記憶を制御し、コマンドを発行し、他の所望の動作を制御するように構成される。処理回路５０２は、少なくとも１つの例において適切な媒体によって与えられた所望のプログラミングを実装するように適応された回路を含み得る。たとえば、処理回路５０２は、１つまたは複数のプロセッサ、１つまたは複数のコントローラ、および／または実行可能プログラミングを実行するように構成された他の構造として実装され得る。処理回路５０２の例は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理構成要素、個別ゲートまたはトランジスタ論理、個別ハードウェア構成要素、あるいは本明細書で説明する機能を実行するように設計されたそれらの任意の組合せを含み得る。汎用プロセッサは、マイクロプロセッサ、ならびに任意の従来のプロセッサ、コントローラ、マイクロコントローラ、または状態機械を含み得る。処理回路５０２はまた、ＤＳＰとマイクロプロセッサとの組合せ、いくつかのマイクロプロセッサ、ＤＳＰコアと連携する１つまたは複数のマイクロプロセッサ、ＡＳＩＣとマイクロプロセッサ、あるいは任意の他の数の様々な構成など、コンピューティング構成要素の組合せとして実装され得る。処理回路５０２のこれらの例は説明のためであり、本開示の範囲内の他の好適な構成も企図される。
【００４３】
処理回路５０２は、記憶媒体５０６に記憶され得るプログラミングの実行を含む処理に適応される。本明細書において使われるように、「プログラミング」という用語は、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを限定なしで含むと広く解釈されたい。
【００４４】
通信インターフェース５０４は、アクセス端末５００のワイヤレス通信を容易にするように構成される。たとえば、通信インターフェース５０４は、１つまたは複数のワイヤレスネットワークデバイス（たとえば、ネットワークノード）に関して双方向に情報の通信を容易にするように適応された回路および／またはプログラミングを含み得る。通信インターフェース５０４は、１つまたは複数のアンテナ（図示せず）に結合され得、少なくとも１つの受信機回路５０８（たとえば、１つまたは複数の受信機チェーン）および／または少なくとも１つの送信機回路５１０（たとえば、１つまたは複数の送信機チェーン）を含むワイヤレストランシーバ回路を含む。いくつかのシナリオでは、受信機および送信機はスタンドアロン構成要素であり得、他のシナリオでは、それらは単体構成要素であり得る。
【００４５】
記憶媒体５０６は、プロセッサ実行可能コードまたは命令（たとえば、ソフトウェア、ファームウェア）などのプログラミング、電子データ、データベース、あるいは他のデジタル情報を記憶するための１つまたは複数のコンピュータ可読、機械可読、および／またはプロセッサ可読デバイスを表し得る。記憶媒体５０６はまた、プログラミングを実行するときに、処理回路５０２によって操作されるデータを記憶するために使用され得る。記憶媒体５０６は、プログラミングを記憶し、含有および／または搬送する ことが可能な、ポータブルまたは固定ストレージデバイス、光ストレージデバイス、および様々な他の媒体を含む、汎用または専用プロセッサによってアクセスされ得る任意の利用可能な媒体であり得る。限定ではなく例として、記憶媒体５０６は、磁気ストレージデバイス（たとえば、ハードディスク、フロッピー（登録商標）ディスク、磁気ストリップ）、光記憶媒体（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、および／またはプログラミングを記憶するための他の媒体などのコンピュータ可読、機械可読および／またはプロセッサ可読記憶媒体、ならびに任意のそれらの組合せを含み得る。
【００４６】
記憶媒体５０６は、処理回路５０２が記憶媒体５０６から情報を読み取り、記憶媒体５０６に情報を書き込むことができるように処理回路５０２に結合され得る。すなわち、記憶媒体５０６は、記憶媒体５０６が少なくとも処理回路５０２によってアクセス可能であるように処理回路５０２に結合され得、記憶媒体５０６が処理回路５０２と一体である例、および／または記憶媒体５０６が処理回路５０２とは別個である（たとえば、アクセス端末５００に常駐する、アクセス端末５００の外部にある、複数のエンティティ上に分散される）例を含む。
【００４７】
記憶媒体５０６によって記憶されたプログラミングは、処理回路５０２によって実行されたとき、本明細書で説明する様々な機能および／またはプロセスステップのうちの１つまたは複数を処理回路５０２に実行させる。たとえば、記憶媒体５０６は、本明細書で説明するように、オーバーヘッドメッセージを受信することと、一般ページメッセージのシーケンス番号および／またはインジケータ（たとえば、予約済みビット値）を比較することとを処理回路５０２に行わせるように適応されたオーバーヘッドメッセージ動作５１２を含み得る。したがって、本開示の１つまたは複数の態様によれば、処理回路５０２は、本明細書で説明するアクセス端末（たとえば、アクセス端末１０４、アクセス端末５００）のいずれかまたはすべてについてのプロセス、機能、ステップおよび／またはルーチンのいずれかまたはすべてを（記憶媒体５０６と併せて）実行するように適応される。本明細書で使用する、処理回路５０２に関する「適応される」という用語は、本明細書で説明する様々な特徴に従って、処理回路５０２が、特定のプロセス、機能、ステップおよび／またはルーチンを実行するように（記憶媒体５０６と併せて）構成、採用、実装、および／またはプログラムされることのうちの１つまたは複数を指すことがある。
【００４８】
図６は、アクセス端末５００などのアクセス端末上で動作可能な方法の少なくとも１つの例を示す流れ図である。図５および図６を参照すると、アクセス端末５００は、ステップ６０２において、アクセス端末５００が少なくとも実質的に固定であると判断する。たとえば、オーバーヘッドメッセージ動作５１２を実行する処理回路５０２は、アクセス端末５００が固定または実質的に固定であるかどうかを判断し得る。
【００４９】
いくつかの実装形態では、この判断は、処理回路５０２が、記憶媒体５０６に記憶され、モビリティタイプを定義するように適応された事前プロビジョニングされたデータ（または事前構成された情報）にアクセスすることを含み得る。モビリティタイプは、アクセス端末５００が少なくとも実質的に固定であることを処理回路５０２に示すように適応され得る。
【００５０】
いくつかの実装形態では、オーバーヘッドメッセージ動作５１２を実行する処理回路５０２は、セル再選択プロシージャがどのくらいの頻度で行われたかを判断するために、セル再選択プロシージャに関係する情報を記憶し、検討し得る。処理回路５０２はまた、前のセル再選択が同じセルの共通グループ間にあったかどうか（たとえば、アクセス端末５００が同じ２つのまたは３つのセル間でのみ変化したかどうか）を考慮に入れることがある。様々な例によれば、オーバーヘッドメッセージ動作５１２を実行する処理回路５０２は、所定の時間期間（たとえば、２、３日、１週間、１か月など）の過程にわたってセル再選択がなかったとき、および／または前のセル再選択が同じセルの共通グループ間の再選択に限定されるとき、アクセス端末５００が固定または実質的に固定であると判断することができる。
【００５１】
いくつかの実装形態では、オーバーヘッドメッセージ動作５１２を実行する処理回路５０２は、複数の近隣セルの各々の相対的パイロット信号強度を監視し得る。１つまたは複数の近隣セルの相対的信号強度が所定の持続時間の間少なくとも実質的に同じままである（たとえば、ある測定から次の測定までの信号強度の差があるあらかじめ定義されたしきい値よりも小さい）とき、オーバーヘッドメッセージ動作５１２を実行する処理回路５０２は、アクセス端末５００が少なくとも実質的に固定であると結論付けることがある。
【００５２】
いくつかの実装形態では、オーバーヘッドメッセージ動作５１２を実行する処理回路５０２は、アクセス端末５００がモバイルであるか、または少なくとも実質的に固定であるかを判断するために、（たとえば、アクセス端末５００のＧＰＳ回路（図示せず）を介して）ＧＰＳロケーションを監視し得る。たとえば、処理回路５０２は、ある所定の頻度でＧＰＳロケーションを監視し得る。ＧＰＳロケーションの変化があらかじめ定義されたしきい値よりも小さいとき、オーバーヘッドメッセージ動作５１２を実行する処理回路５０２は、アクセス端末５００が少なくとも実質的に固定であると判断し得る。アクセス端末５００のモビリティを判断するための様々な例について説明するが、他の例、ならびに２つ以上の例の様々な組合せも採用され得る。
【００５３】
ステップ６０４において、アクセス端末５００は、前のオーバーヘッドメッセージに関連する情報を記憶する。前のオーバーヘッドメッセージに関連する情報は、前のオーバーヘッドメッセージに対応する１つまたは複数のシーケンス番号を含む。１つまたは複数の実装形態では、オーバーヘッドメッセージ動作５１２を実行する処理回路５０２は、通信インターフェース５０４を介して前のオーバーヘッドメッセージを受信することができる。前のオーバーヘッドメッセージを受信すると、オーバーヘッドメッセージ動作５１２を実行する処理回路５０２は、記憶媒体５０６中に前のオーバーヘッドメッセージに関連する情報を記憶することができる。
【００５４】
ステップ６０６において、アクセス端末５００は、後続のオーバーヘッドメッセージに対応する１つまたは複数の後続のシーケンス番号を受信する。たとえば、オーバーヘッドメッセージ動作５１２を実行する処理回路５０２は、通信インターフェース５０４を介して１つまたは複数の後続のシーケンス番号を取得し得る。後続のオーバーヘッドメッセージ全体を受信および／または処理するのではなく、オーバーヘッドメッセージ動作５１２を実行する処理回路５０２は、後続のオーバーヘッドメッセージに関連する１つまたは複数の後続のシーケンス番号を取得することができる。いくつかの事例では、アクセス端末５００は、後続のオーバーヘッドメッセージが受信のために利用可能であるとき、後続のシーケンス番号を受信するために、アクセス端末５００の１つまたは複数の構成要素（たとえば、受信機回路５０８の少なくとも一部分）が低電力状態から電源投入される、低電力状態から復帰し得る。少なくともいくつかの実装形態では、後続のオーバーヘッドメッセージに対応する１つまたは複数の後続のシーケンス番号は、前のオーバーヘッドメッセージが受信され、関連する情報が記憶媒体５０６に記憶された後、少なくとも６００秒アクセス端末５００によって受信され得る。
【００５５】
ステップ６０８において、アクセス端末５００は、１つまたは複数の対応する後続のシーケンス番号が１つまたは複数の記憶されたシーケンス番号と同じであるとき、後続のオーバーヘッドメッセージの受信をなしで済ませる。たとえば、オーバーヘッドメッセージ動作５１２を実行する処理回路５０２は、少なくとも１つの対応する後続のシーケンス番号が、少なくとも１つの記憶されたシーケンス番号と同じであるとき、後続のオーバーヘッドメッセージを無視し得る。１つまたは複数の実装形態では、オーバーヘッドメッセージ動作５１２を実行する処理回路５０２は、１つまたは複数の取得された後続のシーケンス番号の値を記憶媒体５０６に記憶された１つまたは複数のシーケンス番号の値と比較することができる。２つの値が同じである場合、オーバーヘッドメッセージ動作５１２を実行する処理回路５０２は後続のオーバーヘッドメッセージを無視する。たとえば、オーバーヘッドメッセージ動作５１２を実行する処理回路５０２は、後続のオーバーヘッドメッセージを受信するより前か、またはそれの受信を完了するより前に低電力状態に入ることによって、後続のオーバーヘッドメッセージを無視することができる。
【００５６】
本明細書で上述のように、連続オーバーヘッドメッセージのためのシーケンス番号は、オーバーヘッドメッセージ情報に変化があるまで同じままである。ステップ６０２において、アクセス端末５００が少なくとも実質的に固定であるというアクセス端末５００による判断に応答して、アクセス端末５００は、記憶されたオーバーヘッド情報に対応するシーケンス番号が受信され、記憶されたときから６００秒以上、記憶されたオーバーヘッド情報に対応するシーケンス番号と同じである対応する後続のシーケンス番号をもつ後続のオーバーヘッドメッセージを無視し続けることができ、６００秒は、従来、後続のオーバーヘッドメッセージを無視するためのしきい値または上限として採用される。
【００５７】
一方、１つまたは複数の後続のシーケンス番号が１つまたは複数の記憶されたシーケンス番号とは異なるとき、アクセス端末５００は、ステップ６１０において、後続のオーバーヘッドメッセージを受信する。たとえば、上記のように、オーバーヘッドメッセージ動作５１２を実行する処理回路５０２は、１つまたは複数の取得された後続のシーケンス番号の値を記憶媒体５０６に記憶された１つまたは複数のシーケンス番号の値と比較することができる。２つの値が異なる場合、オーバーヘッドメッセージ動作５１２を実行する処理回路５０２は後続のオーバーヘッドメッセージを取得することができる。すなわち、オーバーヘッドメッセージ動作５１２を実行する処理回路５０２は、低電力状態に入るより前に後続のオーバーヘッドメッセージを受信し、処理するために、電源投入状態のままであり得る。
【００５８】
上記の例において、シーケンス番号が前に受信したオーバーヘッドメッセージのためのシーケンス番号と同じであるとき、６００秒を超えてさらにアクセス端末５００が後続のオーバーヘッドメッセージを無視することを可能にすると、アクセス端末５００は、受信機回路５０８が電源投入される時間量を著しく低減させることができる。たとえば、オーバーヘッドメッセージに対応するシーケンス番号を受信するために受信機回路５０８および／または他の構成要素が低電力状態から電源投入される時間は約８０ミリ秒であり得る。一方、オーバーヘッドメッセージを受信するために受信機回路５０８および／または他の構成要素が電源投入される時間は約１．２８秒であり得る。したがって、後続のシーケンス番号が記憶されたシーケンス番号と同じであると判断した後にアクセス端末５００が低電力状態に入ることを可能にすることは、アクセス端末５００によるかなりの電力節約を生じ得る。
【００５９】
図７を参照すると、アクセス端末５００などのアクセス端末上で動作可能な方法の少なくとも１つの他の例を示す流れ図が示されている。図５および図７を参照すると、アクセス端末５００は、ステップ７０２において、後続のオーバーヘッドメッセージに対応する少なくとも１つの後続のセクタインジケータと後続のオーバーヘッドメッセージに対応する少なくとも１つの後続のシーケンス番号とを取得する。たとえば、オーバーヘッドメッセージ動作５１２を実行する処理回路５０２は、通信インターフェース５０４を介して、少なくとも１つのセクタインジケータと、後続のオーバーヘッドメッセージに関連する少なくとも１つのシーケンス番号とを受信することができる。オーバーヘッドメッセージ動作５１２を実行する処理回路５０２は、後続のオーバーヘッドメッセージの残部を受信するより前に、少なくとも１つの後続のセクタインジケータと少なくとも１つの後続のシーケンス番号とを受信することができる。１つまたは複数の実装形態では、セクタインジケータは一般ページメッセージ（ＧＰＭ）中に含まれ得る。少なくともいくつかの例では、セクタインジケータは、一般に「予約済みビット」として識別される一般ページメッセージ（ＧＰＭ）の１つまたは複数のビットを備え得る。一般ページメッセージはまた、後続のオーバーヘッドメッセージの１つまたは複数の対応する後続のシーケンス番号をもつ後続のオーバーヘッドメッセージを含む。
【００６０】
この例では、アクセス端末５００は、後続のセクタインジケータと後続のシーケンス番号とに基づいて後続のオーバーヘッドメッセージの残部を受信すべきかどうかを判断する。アクセス端末５００が、前に、前のオーバーヘッドメッセージを受信し、対応するセクタインジケータと少なくとも１つの対応するシーケンス番号とを含む、前のオーバーヘッドメッセージに関連する情報を記憶媒体５０６中に記憶していると仮定する。ステップ７０４において、アクセス端末５００は、後続のセクタインジケータが、前のオーバーヘッドメッセージに対応する記憶されたセクタインジケータと同じであるかどうかを判断する。たとえば、オーバーヘッドメッセージ動作５１２を実行する処理回路５０２は、後続のセクタインジケータが、記憶媒体５０６に記憶されたセクタインジケータと同じであるかどうかを判断することができる。少なくとも１つの実装形態では、オーバーヘッドメッセージ動作５１２を実行する処理回路５０２は、後続のセクタインジケータを、記憶されたセクタインジケータと比較することによってこの判断を行うことができる。セクタインジケータが一般ページメッセージ中に１つまたは複数の予約済みビットの値を備える実装形態では、オーバーヘッドメッセージ動作５１２を実行する処理回路５０２は、少なくとも１つの後続の予約済みビットの値を記憶媒体５０６に記憶された少なくとも１つの予約済みビットの値と比較することによって判断を行うことができる。
【００６１】
ステップ７０６において、アクセス端末５００は、少なくとも１つの後続のシーケンス番号が、少なくとも１つの記憶されたシーケンス番号と同じであるかどうかを判断する。たとえば、オーバーヘッドメッセージ動作５１２を実行する処理回路５０２は、１つまたは複数の後続のシーケンス番号が記憶媒体５０６に記憶された１つまたは複数のシーケンス番号と同じであるかどうかを判断することができる。少なくとも１つの実装形態では、オーバーヘッドメッセージ動作５１２を実行する処理回路５０２は、少なくとも１つの後続のシーケンス番号の値を記憶媒体５０６に記憶された少なくとも１つのシーケンス番号と比較することによってこの判断を行うことができる。
【００６２】
ステップ７０８において、後続のオーバーヘッドメッセージに対応する後続のセクタインジケータが、前のオーバーヘッドメッセージに対応する記憶されたセクタインジケータと同じであるとき、および少なくとも１つの後続のシーケンス番号が、少なくとも１つの記憶されたシーケンス番号と同じであるとき、アクセス端末５００は、後続のオーバーヘッドメッセージを無視する。たとえば、ステップ７０４から、後続のオーバーヘッドメッセージとともに含まれる後続のセクタインジケータ（たとえば、少なくとも１つの後続の予約済みビットの値）が、前のオーバーヘッドメッセージに対応する記憶されたセクタインジケータ（たとえば、少なくとも１つの予約済みビットの値）と同じであると判断されたとき、およびステップ７０６から、少なくとも１つの後続のシーケンス番号が、少なくとも１つの記憶されたシーケンス番号と同じであると判断されたとき、オーバーヘッドメッセージ動作５１２を実行する処理回路５０２は、後続のオーバーヘッドメッセージを受信することなしで済ませることができる。少なくとも１つの実装形態では、オーバーヘッドメッセージ動作５１２を実行する処理回路５０２は、後続のオーバーヘッドメッセージを受信するより前か、またはそれの受信を完了するより前に低電力状態に入ることによって、後続のオーバーヘッドメッセージを無視し得る。
【００６３】
本明細書で前述のように、セクタインジケータは、同じパイロットを採用する２つの異なるセクタによって送られる一般ページメッセージを区別するために採用され得る。したがって、後続のセクタインジケータが、記憶媒体５０６に記憶されたセクタインジケータとは異なる場合、アクセス端末５００は、ステップ７１０において、後続のオーバーヘッドメッセージを受信する。たとえば、オーバーヘッドメッセージ動作５１２を実行する処理回路５０２は、ステップ７０４から、後続のオーバーヘッドメッセージとともに含まれる後続のセクタインジケータ（たとえば、少なくとも１つの後続の予約済みビット）の値が、前のオーバーヘッドメッセージに対応する記憶されたセクタインジケータ（たとえば、少なくとも１つの予約済みビットの記憶された値）とは異なると判断されたとき、通信インターフェース５０４を介して後続のオーバーヘッドメッセージを受信することができる。これらの２つのセクタインジケータ間の差異は、前のオーバーヘッドメッセージと後続のオーバーヘッドメッセージとが異なるセクタに対応することを示す。後続のオーバーヘッドメッセージが新しいセクタに関連付けられるので、オーバーヘッドメッセージ動作５１２を実行する処理回路５０２は、記憶媒体５０６中に後続のオーバーヘッドメッセージに関連する情報を記憶することができる。
【００６４】
本明細書で前述のように、オーバーヘッドメッセージに関連するシーケンス番号は、オーバーヘッドメッセージ情報が変化したかどうかを示すことができる。したがって、後続のシーケンス番号が記憶されたシーケンス番号とは異なる場合、アクセス端末５００は、ステップ７１２において、後続のオーバーヘッドメッセージを受信する。たとえば、オーバーヘッドメッセージ動作５１２を実行する処理回路５０２は、ステップ７０６から、少なくとも１つの後続のシーケンス番号が、少なくとも１つの記憶されたシーケンス番号とは異なると判断されたとき、通信インターフェース５０４を介して後続のオーバーヘッドメッセージを受信することができる。オーバーヘッドメッセージ動作５１２を実行する処理回路５０２はまた、記憶媒体５０６中に後続のオーバーヘッドメッセージからの情報を記憶することができる。
【００６５】
図８を参照すると、少なくとも一例による、ネットワークノード８００の選択構成要素を示すブロック図が示されている。ネットワークノード８００は、通信インターフェース８０４と記憶媒体８０６とに結合された、またはそれらと電気通信させられた処理回路８０２を含み得る。
【００６６】
処理回路８０２は、データを取得し、処理しおよび／または送り、データアクセスおよび記憶を制御し、コマンドを発行し、他の所望の動作を制御するように構成される。処理回路８０２は、少なくとも１つの例において、適切な媒体によって与えられた所望のプログラミングを実装するように構成された回路を含み得、上記で説明した処理回路５０２の例のいずれかに従って実装および／または適応され得る。
【００６７】
通信インターフェース８０４は、ネットワークノード８００のワイヤレス通信を容易にするように構成される。たとえば、通信インターフェース８０４は、１つまたは複数のアクセス端末に関して双方向に情報の通信を容易にするように適応された回路および／またはプログラミングを含み得る。通信インターフェース８０４は、１つまたは複数のアンテナ（図示せず）に結合され得、少なくとも１つの受信機回路８０８（たとえば、１つまたは複数の受信機チェーン）および／または少なくとも１つの送信機回路８１０（たとえば、１つまたは複数の送信機チェーン）を含むワイヤレストランシーバ回路を含む。
【００６８】
記憶媒体８０６は、プロセッサ実行可能コードまたは命令（たとえば、ソフトウェア、ファームウェア）などのプログラミング、電子データ、データベース、あるいは他のデジタル情報を記憶するための１つまたは複数のコンピュータ可読、機械可読、および／またはプロセッサ可読デバイスを表し得る。記憶媒体８０６は、上記で説明した記憶媒体５０６と同様の方法で構成および／または実装され得る。
【００６９】
記憶媒体８０６は、処理回路８０２が記憶媒体８０６から情報を読み取り、記憶媒体８０６に情報を書き込むことができるように処理回路８０２に結合され得る。すなわち、記憶媒体８０６は、記憶媒体８０６が処理回路８０２によって少なくともアクセス可能であるように処理回路８０２に結合され得、記憶媒体８０６が処理回路８０２と一体である例、および／または記憶媒体８０６が処理回路８０２とは別個である（たとえば、ネットワークノード８００に常駐する、ネットワークノード８００の外部にある、複数のエンティティ上に分散される）例を含む。
【００７０】
記憶媒体５０６のように、記憶媒体８０６は、その上に記憶されたプログラミングを含む。記憶媒体８０６によって記憶されたプログラミングは、処理回路８０２によって実行されたとき、本明細書で説明する様々な機能および／またはプロセスステップのうちの１つまたは複数を実行することを処理回路８０２に行わせる。たとえば、記憶媒体８０６は、一般ページメッセージを別のセクタに関連する一般ページメッセージと区別するように適応された値に設定された少なくとも１つの予約済みビットを含む一般ページメッセージを生成し、送ることを処理回路８０２に行わせるように適応された一般ページメッセージ動作８１２を含み得る。したがって、本開示の１つまたは複数の態様によれば、処理回路８０２は、本明細書で説明するネットワークノード（たとえば、図１〜図４中の基地局１０２、基地局コントローラ２０６、ＭＳＣ／ＶＬＲ２０８、および／またはネットワークノード４０２）のいずれかまたはすべてについてのプロセス、機能、ステップおよび／またはルーチンのいずれかまたはすべてを（記憶媒体８０６と連携して）実行するように適応される。本明細書で使用する、処理回路８０２に関する「適応される」という用語は、本明細書で説明する様々な特徴に従って、処理回路８０２が、特定のプロセス、機能、ステップおよび／またはルーチンを実行するように構成、採用、実装、および／またはプログラムされることのうちの１つまたは複数を指すことがある。
【００７１】
図９は、ネットワークノード８００などのネットワークノード上で動作可能な方法の少なくとも一例を示す流れ図である。図８および図９を参照すると、ネットワークノード８００は、ステップ９０２において、オーバーヘッドメッセージを送信するために別のセクタが同じパイロットを採用していると判断し得る。たとえば、一般ページメッセージ動作８１２を実行する処理回路８０２は、別のセクタがネットワークノード８００によって採用されているパイロットと同じパイロット（たとえば、同じ周波数および擬似乱数（ＰＮ）シーケンス）を採用していると判断し得る。少なくとも１つの例では、ネットワークは、別のネットワークノードが同じパイロットを採用しているとネットワークノード８００に通知し得る。
【００７２】
ステップ９０４において、ネットワークノード８００は、メッセージを他のセクタに関連するメッセージと区別するように適応されたセクタインジケータをもつメッセージを取得する。たとえば、一般ページメッセージ動作８１２を実行する処理回路８０２は、セクタインジケータをもつメッセージを取得することができる。一般ページメッセージ動作８１２を実行する処理回路８０２はメッセージを生成し得、またはメッセージは、通信インターフェース８０４を介して別のネットワークエンティティから受信され得る。メッセージは一般ページメッセージ（ＧＰＭ）であり得る。セクタインジケータは、他のセクタが同じパイロットを採用するとしても、メッセージ（たとえば、一般ページメッセージ）を他のセクタに関連するメッセージ（たとえば、一般ページメッセージ）と区別するように適応された値に設定されたメッセージ（たとえば、一般ページメッセージ）の少なくとも１つの予約済みビットを含むことができる。メッセージはまた、１つまたは複数の対応するシーケンス番号をもつオーバーヘッドメッセージを含むことができる。
【００７３】
ステップ９０６において、ネットワークノード８００はメッセージを送信する。たとえば、一般ページメッセージ動作８１２を実行する処理回路８０２は、通信インターフェース８０４を介してメッセージを送信することができる。上記のように、メッセージは、他のセクタによって採用されたパイロットと同じパイロットであるパイロット上で送信される。
【００７４】
上記の態様および特徴のうちの１つまたは複数により、アクセス端末は、ある時間期間にわたってオーバーヘッドメッセージ情報が不変のときに情報を取得する周波数を低減させることが可能になり得る。そのような態様および特徴は、アクセス端末における電力節約を改善することができ、バッテリー寿命が延長され得る。
【００７５】
上記で説明した態様、構成、および実施形態について具体的な詳細および委細とともに説明したが、図１、図２、図３、図４、図５、図６、図７、図８、および／または図９に示した構成要素、ステップ、特徴および／または機能のうちの１つまたは複数は、単一の構成要素、ステップ、特徴または機能に再構成されおよび／または組み合わせられるか、あるいはいくつかの構成要素、ステップ、または機能で実施され得る。また、本開示から逸脱することなく追加の要素、構成要素、ステップ、および／または機能が追加または利用され得る。図１、図２、図５および／または図８に示した装置、デバイスおよび／または構成要素は、図３、図４、図６、図７および／または図９で説明した方法、特徴、パラメータ、および／またはステップのうちの１つまたは複数を実行または採用するように構成され得る。本明細書で説明した新規のアルゴリズムはまた、効率的にソフトウェアで実装されおよび／またはハードウェアに組み込まれ得る。
【００７６】
また、少なくともいくつかの実装形態について、フローチャート、流れ図、構造図、またはブロック図として示されたプロセスとして説明したことに留意されたい。フローチャートは動作を逐次プロセスとして説明することがあるが、動作の多くは並行してまたは同時に実行され得る。さらに、動作の順序は並び替えられ得る。プロセスは、それの動作が完了したときに終了する。プロセスは、方法、関数、プロシージャ、サブルーチン、サブプログラムなどに対応し得る。プロセスが関数に対応するとき、それの終了は、呼出し関数またはメイン関数への関数の復帰に対応する。本明細書で説明する様々な方法は、機械可読、コンピュータ可読、および／またはプロセッサ可読記憶媒体に記憶され、１つまたは複数のプロセッサ、機械および／またはデバイスによって実行され得るプログラミング（たとえば、命令および／またはデータ）によって部分的にまたは完全に実装され得る。
【００７７】
さらに、本明細書で開示する実施形態に関連して説明した様々な例示的な論理ブロック、モジュール、回路、およびアルゴリズムステップは、ハードウェア、ソフトウェア、ファームウェア、ミドルウェア、マイクロコード、またはそれらの任意の組合せとして実装され得ることを、当業者は諒解されよう。この互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課せられた設計制約に依存する。
【００７８】
本明細書で説明する添付の図面に示した例に関連する様々な特徴は、本開示の範囲から逸脱することなく、異なる例および実装形態に実装され得る。したがって、ある特定の構成および配置について説明し、添付の図面に示したが、説明した実施形態への様々な他の追加、変更、および削除は当業者には明らかであるので、そのような実施形態は例示的にすぎず、開示の範囲を限定するものではない。したがって、本開示の範囲は、以下の請求項の文字通りの言語、および法的均等物によってのみ決定される。
【図１】
2015503875.tif 000003
【図２】
2015503875.tif 000004
【図３】
2015503875.tif 000005
【図４】
2015503875.tif 000006
【図５】
2015503875.tif 000007
【図６】
2015503875.tif 000008
【図７】
2015503875.tif 000009
【図８】
2015503875.tif 000010
【図９】
2015503875.tif 000011
【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
通信インターフェースと、
前のオーバーヘッドメッセージに関連する少なくとも１つのシーケンス番号を含むオーバーヘッドメッセージ情報を備える記憶媒体と、
前記通信インターフェースと前記記憶媒体とに結合された処理回路であって、
アクセス端末が少なくとも実質的に固定であると判断することと、
前記通信インターフェースを介して、前記前のオーバーヘッドメッセージの後に送信される後続のオーバーヘッドメッセージに関連する少なくとも１つの後続のシーケンス番号を受信することであって、前記少なくとも１つの後続のシーケンス番号が、前記前のオーバーヘッドメッセージの後に時間制限を超えて受信される、受信することと、
前記アクセス端末が少なくとも実質的に固定であるという前記判断に応答して、前記少なくとも１つの後続のシーケンス番号が、前記記憶媒体に記憶された前記少なくとも１つのシーケンス番号と同じであるとき、前記後続のオーバーヘッドメッセージを無視することと
を行うように適応された処理回路と
を備える、アクセス端末。
【請求項２】
前記少なくとも１つの後続のシーケンス番号が、前記記憶媒体に記憶された前記少なくとも１つのシーケンス番号の後に６００秒以上受信される、請求項１に記載のアクセス端末。
【請求項３】
前記処理回路は、前記少なくとも１つの後続のシーケンス番号が前記記憶媒体に記憶された前記少なくとも１つのシーケンス番号とは異なるとき、前記通信インターフェースを介して、前記後続のオーバーヘッドメッセージを受信することを行うようにさらに適応された、請求項１に記載のアクセス端末。
【請求項４】
前記処理回路が、前記記憶媒体中に、前記少なくとも１つの後続のシーケンス番号を含む前記後続のオーバーヘッドメッセージに関連する情報を記憶することを行うようにさらに適応された、請求項３に記載のアクセス端末。
【請求項５】
前記処理回路が、
前記通信インターフェースを介して前記前のオーバーヘッドメッセージを受信することと、
前記前のオーバーヘッドメッセージに関連する前記少なくとも１つのシーケンス番号を含む前記オーバーヘッドメッセージ情報を記憶することと
を行うようにさらに適応された、請求項１に記載のアクセス端末。
【請求項６】
アクセス端末上で動作可能な方法であって、
前記アクセス端末が少なくとも実質的に固定であると判断することと、
前のオーバーヘッドメッセージに関連する情報を記憶することであって、前記情報が、前記前のオーバーヘッドメッセージに対応する少なくとも１つのシーケンス番号を備える、記憶することと、
後続のオーバーヘッドメッセージに対応する少なくとも１つの後続のシーケンス番号を受信することであって、前記少なくとも１つの後続のシーケンス番号が、前記前のオーバーヘッドメッセージの後に時間制限を超えて受信される、受信することと、
前記アクセス端末が少なくとも実質的に固定であると判断したことに応答して、前記少なくとも１つの対応する後続のシーケンス番号が、前記少なくとも１つの記憶されたシーケンス番号と同じであるとき、前記後続のオーバーヘッドメッセージの受信をなしで済ませることと
を備える、方法。
【請求項７】
前記後続のオーバーヘッドメッセージに対応する前記少なくとも１つの後続のシーケンス番号を受信することが、
前記前のオーバーヘッドメッセージに関連する前記情報を記憶した後に少なくとも６００秒前記少なくとも１つの後続のシーケンス番号を受信すること
を備える、請求項６に記載の方法。
【請求項８】
前記少なくとも１つの後続のシーケンス番号が、前記少なくとも１つの記憶されたシーケンス番号とは異なるとき、前記後続のオーバーヘッドメッセージを受信することと、
前記少なくとも１つの後続のシーケンス番号を含む、前記後続のオーバーヘッドメッセージに関連する情報を記憶することと
をさらに備える、請求項６に記載の方法。
【請求項９】
アクセス端末が少なくとも実質的に固定であると判断するための手段と、
前のオーバーヘッドメッセージに関連する情報を記憶するための手段であって、前記情報が、前記前のオーバーヘッドメッセージに対応する少なくとも１つのシーケンス番号を備える、記憶するための手段と、
前記前のオーバーヘッドメッセージの後に送信される後続のオーバーヘッドメッセージに対応する少なくとも１つの後続のシーケンス番号を受信するための手段であって、前記少なくとも１つの後続のシーケンス番号が、前記前のオーバーヘッドメッセージの後に時間制限を超えて受信される、受信するための手段と、
前記少なくとも１つの対応する後続のシーケンス番号が、前記少なくとも１つの記憶されたシーケンス番号と同じであるとき、および前記アクセス端末が少なくとも実質的に固定であると判断したことに応答して、前記後続のオーバーヘッドメッセージの収集なしで済ませるための手段と
を備える、アクセス端末。
【請求項１０】
前記後続のオーバーヘッドメッセージに対応する前記少なくとも１つの後続のシーケンス番号が、前記前のオーバーヘッドメッセージに関連する前記情報が記憶された後に少なくとも６００秒受信される、請求項９に記載のアクセス端末。
【請求項１１】
前記少なくとも１つの対応する後続のシーケンス番号が、前記少なくとも１つの記憶されたシーケンス番号とは異なるとき、前記後続のオーバーヘッドメッセージを受信するための手段
をさらに備える、請求項９に記載のアクセス端末。
【請求項１２】
前記少なくとも１つの後続のシーケンス番号を含む、前記後続のオーバーヘッドメッセージに関連する情報を記憶するための手段
をさらに備える、請求項１１に記載のアクセス端末。
【請求項１３】
コンピュータに、
アクセス端末が少なくとも実質的に固定であると判断することと、
前のオーバーヘッドメッセージに関連する情報を記憶することであって、前記情報が、前記前のオーバーヘッドメッセージに関連するシーケンス番号を備える、記憶することと、
後続のオーバーヘッドメッセージに関連する後続のシーケンス番号を取得することであって、前記後続のシーケンス番号が、前記前のオーバーヘッドメッセージの後に時間制限を超えて受信される、取得することと、
前記後続のシーケンス番号が前記記憶されたシーケンス番号と同じであるとき、および前記アクセス端末が少なくとも実質的に固定であるという前記判断に応答して、前記後続のオーバーヘッドメッセージを無視することと
を行わせるためのプログラミングを備える、コンピュータ可読記憶媒体。
【請求項１４】
前記後続のオーバーヘッドメッセージに対応する前記後続のシーケンス番号が、前記前のオーバーヘッドメッセージに関連する前記情報が記憶された後に少なくとも６００秒取得される、請求項１３に記載のコンピュータ可読記憶媒体。
【請求項１５】
コンピュータに、
対応する後続のシーケンス番号が前記記憶されたシーケンス番号とは異なるとき、前記後続のオーバーヘッドメッセージを取得することと、
前記後続のシーケンス番号を含む、前記後続のオーバーヘッドメッセージに関連する情報を記憶することと
を行わせるためのプログラミングをさらに備える、請求項１３に記載のコンピュータ可読記憶媒体。
【請求項１６】
通信インターフェースと、
前のオーバーヘッドメッセージに対応するセクタインジケータと、前記前のオーバーヘッドメッセージに対応する少なくとも１つのシーケンス番号とを備える記憶媒体と、
前記通信インターフェースと前記記憶媒体とに結合された処理回路であって、
前記通信インターフェースを介して、それぞれ後続のオーバーヘッドメッセージに対応する後続のセクタインジケータと少なくとも１つの後続のシーケンス番号とを受信することであって、前記後続のセクタインジケータが、前記後続のオーバーヘッドメッセージを含む一般ページメッセージ中に少なくとも１つの予約済みビットの値を備える、受信することと、
前記後続のセクタインジケータの値が、前記記憶媒体に記憶された前記セクタインジケータの前記値と同じであるかどうかを判断することと、
前記少なくとも１つの後続のシーケンス番号が、前記記憶媒体に記憶された前記少なくとも１つのシーケンス番号と同じであるかどうかを判断することと、
前記後続のセクタインジケータが、前記記憶媒体に記憶された前記セクタインジケータと同じであるとき、および前記少なくとも１つの後続のシーケンス番号が、前記記憶媒体に記憶された前記少なくとも１つのシーケンス番号と同じであるとき、前記後続のオーバーヘッドメッセージを無視することと
を行うように適応された処理回路と
を備える、アクセス端末。
【請求項１７】
前記処理回路が、
前記後続のセクタインジケータが、前記記憶媒体に記憶された前記セクタインジケータとは異なるとき、前記後続のオーバーヘッドメッセージを取得すること
を行うようにさらに適応された、請求項１６に記載のアクセス端末。
【請求項１８】
前記処理回路が、
前記少なくとも１つの後続のシーケンス番号が、前記記憶媒体に記憶された前記少なくとも１つのシーケンス番号とは異なるとき、前記後続のオーバーヘッドメッセージを取得すること
を行うようにさらに適応された、請求項１６に記載のアクセス端末。
【請求項１９】
アクセス端末上で動作可能な方法であって、
一般ページメッセージの少なくとも１つの予約済みビットの値として後続のセクタインジケータを含む前記一般ページメッセージを受信することと、
前記一般ページメッセージから、それぞれ後続のオーバーヘッドメッセージに対応する前記後続のセクタインジケータと少なくとも１つの後続のシーケンス番号とを取得することと、
前記後続のセクタインジケータが、記憶されたセクタインジケータと同じであるかどうかを判断することと、
前記少なくとも１つの後続のシーケンス番号が、少なくとも１つの記憶されたシーケンス番号と同じであるかどうかを判断することと、
前記後続のセクタインジケータが、前記記憶されたセクタインジケータと同じであるとき、および前記少なくとも１つの後続のシーケンス番号が、前記少なくとも１つの記憶されたシーケンス番号と同じであるとき、前記後続のオーバーヘッドメッセージを無視することと
を備える、方法。
【請求項２０】
前記後続のセクタインジケータと前記少なくとも１つの後続のシーケンス番号とを取得するより前に、前記記憶されたセクタインジケータと前記少なくとも１つの記憶されたシーケンス番号とを備える前のオーバーヘッドメッセージを受信することと、
前記記憶されたセクタインジケータと前記少なくとも１つの記憶されたシーケンス番号とを記憶することと
をさらに備える、請求項１９に記載の方法。
【請求項２１】
前記一般ページメッセージが前記後続のオーバーヘッドメッセージを備える、請求項１９に記載の方法。
【請求項２２】
前記後続のセクタインジケータが、前記記憶されたセクタインジケータと同じであるかどうかを判断することが、
前記後続のオーバーヘッドメッセージに対応する少なくとも１つの前記予約済みビットの値が、前のオーバーヘッドメッセージに対応する少なくとも１つの予約済みビットの記憶された値と同じであるかどうかを判断すること
を備える、請求項１９に記載の方法。
【請求項２３】
前記後続のセクタインジケータが、前記記憶されたセクタインジケータとは異なるとき、前記後続のオーバーヘッドメッセージを受信すること
をさらに備える、請求項１９に記載の方法。
【請求項２４】
前記少なくとも１つの後続のシーケンス番号が、前記少なくとも１つの記憶されたシーケンス番号とは異なるとき、前記後続のオーバーヘッドメッセージを受信すること
をさらに備える、請求項１９に記載の方法。
【請求項２５】
一般ページメッセージの少なくとも１つの予約済みビットの値として後続のセクタインジケータを含む前記一般ページメッセージを受信するための手段と、
前記一般ページメッセージから、それぞれ後続のオーバーヘッドメッセージに対応する前記後続のセクタインジケータと少なくとも１つの後続のシーケンス番号とを取得するための手段と、
前記後続のセクタインジケータが、記憶されたセクタインジケータと同じであるかどうかを判断するための手段と、
前記少なくとも１つの後続のシーケンス番号が、少なくとも１つの記憶されたシーケンス番号と同じであるかどうかを判断するための手段と、
前記後続のセクタインジケータが、前記記憶されたセクタインジケータと同じであるとき、および前記少なくとも１つの後続のシーケンス番号が、前記少なくとも１つの記憶されたシーケンス番号と同じであるとき、前記後続のオーバーヘッドメッセージを無視するための手段と
を備える、アクセス端末。
【請求項２６】
前記後続のセクタインジケータが、前記後続のオーバーヘッドメッセージに対応する少なくとも１つの予約済みビットの値を備え、
前記記憶されたセクタインジケータが、前のオーバーヘッドメッセージに対応する少なくとも１つの予約済みビットの値を備える、
請求項２５に記載のアクセス端末。
【請求項２７】
前記後続のセクタインジケータが、前記記憶されたセクタインジケータとは異なるとき、前記後続のオーバーヘッドメッセージを受信するための手段
をさらに備える、請求項２５に記載のアクセス端末。
【請求項２８】
前記少なくとも１つの後続のシーケンス番号が、前記少なくとも１つの記憶されたシーケンス番号とは異なるとき、前記後続のオーバーヘッドメッセージを受信するための手段
をさらに備える、請求項２５に記載のアクセス端末。
【請求項２９】
コンピュータに、
一般ページメッセージの少なくとも１つの予約済みビットの値として後続のセクタインジケータを含む前記一般ページメッセージを受信することと、
前記一般ページメッセージから、それぞれ後続のオーバーヘッドメッセージに対応する後続のセクタインジケータと少なくとも１つの後続のシーケンス番号とを取得することと、
前記後続のセクタインジケータが、記憶されたセクタインジケータと同じであるかどうかを判断することと、
前記少なくとも１つの後続のシーケンス番号が、少なくとも１つの記憶されたシーケンス番号と同じであるかどうかを判断することと、
前記後続のセクタインジケータが、前記記憶されたセクタインジケータと同じであるとき、および前記少なくとも１つの後続のシーケンス番号が、前記少なくとも１つの記憶されたシーケンス番号と同じであるとき、前記後続のオーバーヘッドメッセージを無視することと
を行わせるためのプログラミングを備える、コンピュータ可読記憶媒体。
【請求項３０】
前記後続のセクタインジケータが、前記後続のオーバーヘッドメッセージに対応する少なくとも１つの予約済みビットの値を備え、
前記記憶されたセクタインジケータが、前のオーバーヘッドメッセージに対応する少なくとも１つの予約済みビットの値を備える、請求項２９に記載のコンピュータ可読記憶媒体。
【請求項３１】
コンピュータに、
前記後続のセクタインジケータが、前記記憶されたセクタインジケータとは異なるとき、前記後続のオーバーヘッドメッセージを受信すること
を行わせるためのプログラミングをさらに備える、請求項２９に記載のコンピュータ可読記憶媒体。
【請求項３２】
コンピュータに、
前記少なくとも１つの後続のシーケンス番号が、前記記憶媒体に記憶された前記少なくとも１つのシーケンス番号とは異なるとき、前記後続のオーバーヘッドメッセージを受信すること
を行わせるためのプログラミングをさらに備える、請求項２９に記載のコンピュータ可読記憶媒体。
【請求項３３】
通信インターフェースと、
記憶媒体と、
前記通信インターフェースと前記記憶媒体とに結合された処理回路であって、
一般ページメッセージを別のセクタに関連するメッセージと区別するように適応されたセクタインジケータを含む前記一般ページメッセージを生成することであって、前記セクタインジケータが、前記一般ページメッセージ中に少なくとも１つの予約済みビットの値を備える、生成することと、
前記通信インターフェースを介して前記一般ページメッセージを送信することと
を行うように適応された処理回路と
を備える、ネットワークノード。
【請求項３４】
前記セクタインジケータの前記値が、前記一般ページメッセージを別のセクタに関連するメッセージと区別するように適応された、請求項３３に記載のネットワークノード。
【請求項３５】
前記一般ページメッセージが、１つまたは複数の対応するシーケンス番号を備えるオーバーヘッドメッセージを含む、請求項３３に記載のネットワークノード。
【請求項３６】
前記処理回路が、
パイロット上で前記一般ページメッセージを送信することであって、前記パイロットが、前記他のセクタによって採用されるパイロットと同じパイロットである、送信すること
を行うように適応された、請求項３３に記載のネットワークノード。
【請求項３７】
前記処理回路が、
前記一般ページメッセージが生成される前に、前記他のセクタが同じパイロットを採用すると判断すること
を行うように適応された、請求項３６に記載のネットワークノード。
【請求項３８】
一般ページメッセージを別のセクタに関連するメッセージと区別するように適応されたセクタインジケータを備える前記一般ページメッセージを生成することであって、前記セクタインジケータが、前記一般ページメッセージ中に少なくとも１つの予約済みビットの値を備える、生成することと、
前記一般ページメッセージを送信することと
を備える、ネットワークノード上で動作可能な方法。
【請求項３９】
前記セクタインジケータの前記値が、前記一般ページメッセージを別のセクタに関連するメッセージと区別する、請求項３８に記載の方法。
【請求項４０】
前記一般ページメッセージが、１つまたは複数の対応するシーケンス番号をもつオーバーヘッドメッセージを備える、請求項３８に記載の方法。
【請求項４１】
前記一般ページメッセージを送信することが、
パイロット上で前記一般ページメッセージを送信することであって、前記パイロットが、前記他のセクタによって採用されるパイロットと同じパイロットである、送信すること
を備える、請求項３８に記載の方法。
【請求項４２】
前記一般ページメッセージを生成するより前に、前記他のセクタが同じパイロットを採用すると判断すること
をさらに備える、請求項４１に記載の方法。
【請求項４３】
一般ページメッセージを別のセクタに関連するメッセージと区別するように適応されたセクタインジケータを備える前記一般ページメッセージを生成するための手段であって、前記セクタインジケータが、前記一般ページメッセージ中に少なくとも１つの予約済みビットの値を備える、生成するための手段と、
前記一般ページメッセージを送信するための手段と
を備える、ネットワークノード。
【請求項４４】
前記セクタインジケータの前記値が、前記一般ページメッセージを別のセクタに関連するメッセージと区別するように適応された、請求項４３に記載のネットワークノード。
【請求項４５】
前記一般ページメッセージが、１つまたは複数の対応するシーケンス番号を備えるオーバーヘッドメッセージを備える、請求項４３に記載のネットワークノード。
【請求項４６】
コンピュータに、
一般ページメッセージを別のセクタに関連するメッセージと区別するように適応されたセクタインジケータを備える前記一般ページメッセージを生成することであって、前記セクタインジケータが、前記一般ページメッセージ中に少なくとも１つの予約済みビットの値を備える、生成することと、
前記一般ページメッセージを送信することと 
を行わせるためのプログラミングを備える、コンピュータ可読記憶媒体。
【請求項４７】
前記セクタインジケータの前記値が、前記一般ページメッセージを別のセクタに関連するメッセージと区別するように適応された、請求項４６に記載のコンピュータ可読記憶媒体。
【請求項４８】
前記一般ページメッセージが、１つまたは複数の対応するシーケンス番号を備えるオーバーヘッドメッセージを含む、請求項４６に記載のコンピュータ可読記憶媒体。
【請求項４９】
前記一般ページメッセージがパイロット上で送信され、前記パイロットが、前記他のセクタによって採用されるパイロットと同じである、請求項４６に記載のコンピュータ可読記憶媒体。
【請求項５０】
コンピュータに、
前記一般ページメッセージが生成される前に、前記他のセクタが同じパイロットを採用すると判断すること 
を行わせるためのプログラミングをさらに備える、請求項４９に記載のコンピュータ可読記憶媒体。
【請求項５１】
ワイヤレス通信のために構成されたワイヤレス通信デバイスであって、
通信インターフェースと、
第１のオーバーヘッドメッセージに関連する少なくとも１つのシーケンス番号を含むオーバーヘッドメッセージ情報を記憶する記憶媒体と、
第２のオーバーヘッドメッセージに関連する少なくとも１つの後続のシーケンス番号を受信し、前記少なくとも１つの後続のシーケンス番号が、前記少なくとも１つのシーケンス番号と同じであるとき、前記デバイスの動きに基づいて前記少なくとも１つの後続のオーバーヘッドメッセージを無視するように前記デバイスに命令するように構成されたプロセッサと
を備え、
前記少なくとも１つの後続のシーケンス番号が、前記第１のオーバーヘッドメッセージの後に時間制限を超えて受信される
デバイス。
【手続補正２】
【補正対象書類名】明細書
【補正対象項目名】００７８
【補正方法】変更
【補正の内容】
【００７８】
本明細書で説明する添付の図面に示した例に関連する様々な特徴は、本開示の範囲から逸脱することなく、異なる例および実装形態に実装され得る。したがって、ある特定の構成および配置について説明し、添付の図面に示したが、説明した実施形態への様々な他の追加、変更、および削除は当業者には明らかであるので、そのような実施形態は例示的にすぎず、開示の範囲を限定するものではない。したがって、本開示の範囲は、以下の請求項の文字通りの言語、および法的均等物によってのみ決定される。
以下に出願当初の特許請求の範囲を付記する。
［Ｃ１］
通信インターフェースと、
前のオーバーヘッドメッセージに関連する少なくとも１つのシーケンス番号を含むオーバーヘッドメッセージ情報を備える記憶媒体と、
前記通信インターフェースと前記記憶媒体とに結合された処理回路であって、
前記アクセス端末が少なくとも実質的に固定であると判断することと、
前記通信インターフェースを介して、前記前のオーバーヘッドメッセージの後に送信される後続のオーバーヘッドメッセージに関連する少なくとも１つの後続のシーケンス番号を受信することと、
前記アクセス端末が少なくとも実質的に固定であるという前記判断に応答して、前記少なくとも１つの後続のシーケンス番号が、前記記憶媒体に記憶された前記少なくとも１つのシーケンス番号と同じであるとき、前記後続のオーバーヘッドメッセージを無視することと
を行うように適応された処理回路と
を備える、アクセス端末。
［Ｃ２］
前記少なくとも１つの後続のシーケンス番号が、前記記憶媒体に記憶された前記少なくとも１つのシーケンス番号の後に６００秒以上受信される、請求項１に記載のアクセス端末。
［Ｃ３］
前記処理回路は、前記少なくとも１つの後続のシーケンス番号が前記記憶媒体に記憶された前記少なくとも１つのシーケンス番号とは異なるとき、前記通信インターフェースを介して、前記後続のオーバーヘッドメッセージを受信することを行うようにさらに適応された、請求項１に記載のアクセス端末。
［Ｃ４］
前記処理回路が、前記記憶媒体中に、前記少なくとも１つの後続のシーケンス番号を含む前記後続のオーバーヘッドメッセージに関連する情報を記憶することを行うようにさらに適応された、請求項３に記載のアクセス端末。
［Ｃ５］
前記処理回路が、
前記通信インターフェースを介して前記前のオーバーヘッドメッセージを受信することと、
前記前のオーバーヘッドメッセージに関連する前記少なくとも１つのシーケンス番号を含む前記オーバーヘッドメッセージ情報を記憶することと
を行うようにさらに適応された、請求項１に記載のアクセス端末。
［Ｃ６］
アクセス端末上で動作可能な方法であって、
前記アクセス端末が少なくとも実質的に固定であると判断することと、
前のオーバーヘッドメッセージに関連する情報を記憶することであって、前記情報が、前記前のオーバーヘッドメッセージに対応する少なくとも１つのシーケンス番号を備える、記憶することと、
後続のオーバーヘッドメッセージに対応する少なくとも１つの後続のシーケンス番号を受信することと、
前記アクセス端末が少なくとも実質的に固定であると判断したことに応答して、前記少なくとも１つの対応する後続のシーケンス番号が、前記少なくとも１つの記憶されたシーケンス番号と同じであるとき、前記後続のオーバーヘッドメッセージの受信をなしで済ませることと
を備える、方法。
［Ｃ７］
前記後続のオーバーヘッドメッセージに対応する前記少なくとも１つの後続のシーケンス番号を受信することが、
前記前のオーバーヘッドメッセージに関連する前記情報を記憶した後に少なくとも６００秒前記少なくとも１つの後続のシーケンス番号を受信すること
を備える、請求項６に記載の方法。
［Ｃ８］
前記少なくとも１つの後続のシーケンス番号が、前記少なくとも１つの記憶されたシーケンス番号とは異なるとき、前記後続のオーバーヘッドメッセージを受信することと、
前記少なくとも１つの後続のシーケンス番号を含む、前記後続のオーバーヘッドメッセージに関連する情報を記憶することと
をさらに備える、請求項６に記載の方法。
［Ｃ９］
前記アクセス端末が少なくとも実質的に固定であると判断するための手段と、
前のオーバーヘッドメッセージに関連する情報を記憶するための手段であって、前記情報が、前記前のオーバーヘッドメッセージに対応する少なくとも１つのシーケンス番号を備える、記憶するための手段と、
前記前のオーバーヘッドメッセージの後に送信される後続のオーバーヘッドメッセージに対応する少なくとも１つの後続のシーケンス番号を受信するための手段と、
前記少なくとも１つの対応する後続のシーケンス番号が、前記少なくとも１つの記憶されたシーケンス番号と同じであるとき、および前記アクセス端末が少なくとも実質的に固定であると判断したことに応答して、前記後続のオーバーヘッドメッセージの収集なしで済ませるための手段と
を備える、アクセス端末。
［Ｃ１０］
前記後続のオーバーヘッドメッセージに対応する前記少なくとも１つの後続のシーケンス番号が、前記前のオーバーヘッドメッセージに関連する前記情報が記憶された後に少なくとも６００秒受信される、請求項９に記載のアクセス端末。
［Ｃ１１］
前記少なくとも１つの対応する後続のシーケンス番号が、前記少なくとも１つの記憶されたシーケンス番号とは異なるとき、前記後続のオーバーヘッドメッセージを受信するための手段
をさらに備える、請求項９に記載のアクセス端末。
［Ｃ１２］
前記少なくとも１つの後続のシーケンス番号を含む、前記後続のオーバーヘッドメッセージに関連する情報を記憶するための手段
をさらに備える、請求項１１に記載のアクセス端末。
［Ｃ１３］
コンピュータに、
アクセス端末が少なくとも実質的に固定であると判断することと、
前のオーバーヘッドメッセージに関連する情報を記憶することであって、前記情報が、前記前のオーバーヘッドメッセージに関連するシーケンス番号を備える、記憶することと、
後続のオーバーヘッドメッセージに関連する後続のシーケンス番号を取得することと、
前記後続のシーケンス番号が前記記憶されたシーケンス番号と同じであるとき、および前記アクセス端末が少なくとも実質的に固定であるという前記判断に応答して、前記後続のオーバーヘッドメッセージを無視することと
を行わせるためのプログラミングを備える、コンピュータ可読記憶媒体。
［Ｃ１４］
前記後続のオーバーヘッドメッセージに対応する前記後続のシーケンス番号が、前記前のオーバーヘッドメッセージに関連する前記情報が記憶された後に少なくとも６００秒取得される、請求項１３に記載のコンピュータ可読記憶媒体。
［Ｃ１５］
コンピュータに、
前記対応する後続のシーケンス番号が前記記憶されたシーケンス番号とは異なるとき、前記後続のオーバーヘッドメッセージを取得することと、
前記後続のシーケンス番号を含む、前記後続のオーバーヘッドメッセージに関連する情報を記憶することと
を行わせるためのプログラミングをさらに備える、請求項１３に記載のコンピュータ可読記憶媒体。
［Ｃ１６］
通信インターフェースと、
前のオーバーヘッドメッセージに対応するセクタインジケータと、前記前のオーバーヘッドメッセージに対応する少なくとも１つのシーケンス番号とを備える記憶媒体と、
前記通信インターフェースと前記記憶媒体とに結合された処理回路であって、
前記通信インターフェースを介して、それぞれ後続のオーバーヘッドメッセージに対応する後続のセクタインジケータと少なくとも１つの後続のシーケンス番号とを受信することと、
前記後続のセクタインジケータの値が、前記記憶媒体に記憶された前記セクタインジケータの前記値と同じであるかどうかを判断することと、
前記少なくとも１つの後続のシーケンス番号が、前記記憶媒体に記憶された前記少なくとも１つのシーケンス番号と同じであるかどうかを判断することと、
前記後続のセクタインジケータが、前記記憶媒体に記憶された前記セクタインジケータと同じであるとき、および前記少なくとも１つの後続のシーケンス番号が、前記記憶媒体に記憶された前記少なくとも１つのシーケンス番号と同じであるとき、前記後続のオーバーヘッドメッセージを無視することと
を行うように適応された処理回路と
を備える、アクセス端末。
［Ｃ１７］
前記後続のセクタインジケータが、前記後続のオーバーヘッドメッセージを含む一般ページメッセージ中に少なくとも１つの予約済みビットの値を備える、請求項１６に記載のアクセス端末。
［Ｃ１８］
前記処理回路が、
前記後続のセクタインジケータが、前記記憶媒体に記憶された前記セクタインジケータとは異なるとき、前記後続のオーバーヘッドメッセージを取得すること
を行うようにさらに適応された、請求項１６に記載のアクセス端末。
［Ｃ１９］
前記処理回路が、
前記少なくとも１つの後続のシーケンス番号が、前記記憶媒体に記憶された前記少なくとも１つのシーケンス番号とは異なるとき、前記後続のオーバーヘッドメッセージを取得すること
を行うようにさらに適応された、請求項１６に記載のアクセス端末。
［Ｃ２０］
アクセス端末上で動作可能な方法であって、
それぞれ後続のオーバーヘッドメッセージに対応する後続のセクタインジケータと少なくとも１つの後続のシーケンス番号とを取得することと、
前記後続のセクタインジケータが、記憶されたセクタインジケータと同じであるかどうかを判断することと、
前記少なくとも１つの後続のシーケンス番号が、少なくとも１つの記憶されたシーケンス番号と同じであるかどうかを判断することと、
前記後続のセクタインジケータが、前記記憶されたセクタインジケータと同じであるとき、および前記少なくとも１つの後続のシーケンス番号が、前記少なくとも１つの記憶されたシーケンス番号と同じであるとき、前記後続のオーバーヘッドメッセージを無視することと
を備える、方法。
［Ｃ２１］
前記後続のセクタインジケータと前記少なくとも１つの後続のシーケンス番号とを取得するより前に、前記記憶されたセクタインジケータと前記少なくとも１つの記憶されたシーケンス番号とを備える前のオーバーヘッドメッセージを受信することと、
前記記憶されたセクタインジケータと前記少なくとも１つの記憶されたシーケンス番号とを記憶することと
をさらに備える、請求項２０に記載の方法。
［Ｃ２２］
前記後続のセクタインジケータと前記少なくとも１つの後続のシーケンス番号とを取得することが、
前記セクタインジケータと前記後続のオーバーヘッドメッセージとを含む一般ページメッセージを受信すること
を備える、請求項２０に記載の方法。
［Ｃ２３］
前記セクタインジケータと前記後続のオーバーヘッドメッセージとを含む前記一般ページメッセージを受信することが、
前記一般ページメッセージの少なくとも１つの予約済みビットの値として前記セクタインジケータを含む前記一般ページメッセージを受信すること
を備える、請求項２２に記載の方法。
［Ｃ２４］
前記後続のセクタインジケータが、前記記憶されたセクタインジケータと同じであるかどうかを判断することが、
前記後続のオーバーヘッドメッセージに対応する少なくとも１つの後続の予約済みビットの値が、前のオーバーヘッドメッセージに対応する少なくとも１つの予約済みビットの記憶された値と同じであるかどうかを判断すること
を備える、請求項２０に記載の方法。
［Ｃ２５］
前記後続のセクタインジケータが、前記記憶されたセクタインジケータとは異なるとき、前記後続のオーバーヘッドメッセージを受信すること
をさらに備える、請求項２０に記載の方法。
［Ｃ２６］
前記少なくとも１つの後続のシーケンス番号が、前記少なくとも１つの記憶されたシーケンス番号とは異なるとき、前記後続のオーバーヘッドメッセージを受信すること
をさらに備える、請求項２０に記載の方法。
［Ｃ２７］
それぞれ後続のオーバーヘッドメッセージに対応する後続のセクタインジケータと少なくとも１つの後続のシーケンス番号とを取得するための手段と、
前記後続のセクタインジケータが、記憶されたセクタインジケータと同じであるかどうかを判断するための手段と、
前記少なくとも１つの後続のシーケンス番号が、少なくとも１つの記憶されたシーケンス番号と同じであるかどうかを判断するための手段と、
前記後続のセクタインジケータが、前記記憶されたセクタインジケータと同じであるとき、および前記少なくとも１つの後続のシーケンス番号が、前記少なくとも１つの記憶されたシーケンス番号と同じであるとき、前記後続のオーバーヘッドメッセージを無視するための手段と
を備える、アクセス端末。
［Ｃ２８］
前記後続のセクタインジケータが、前記後続のオーバーヘッドメッセージに対応する少なくとも１つの予約済みビットの値を備え、
前記記憶されたセクタインジケータが、前のオーバーヘッドメッセージに対応する少なくとも１つの予約済みビットの値を備える、請求項２７に記載のアクセス端末。
［Ｃ２９］
前記後続のセクタインジケータが、前記記憶されたセクタインジケータとは異なるとき、前記後続のオーバーヘッドメッセージを受信するための手段
をさらに備える、請求項２７に記載のアクセス端末。
［Ｃ３０］
前記少なくとも１つの後続のシーケンス番号が、前記少なくとも１つの記憶されたシーケンス番号とは異なるとき、前記後続のオーバーヘッドメッセージを受信するための手段
をさらに備える、請求項２７に記載のアクセス端末。
［Ｃ３１］
コンピュータに、
それぞれ後続のオーバーヘッドメッセージに対応する後続のセクタインジケータと少なくとも１つの後続のシーケンス番号とを取得することと、
前記後続のセクタインジケータが、記憶されたセクタインジケータと同じであるかどうかを判断することと、
前記少なくとも１つの後続のシーケンス番号が、少なくとも１つの記憶されたシーケンス番号と同じであるかどうかを判断することと、
前記後続のセクタインジケータが、前記記憶されたセクタインジケータと同じであるとき、および前記少なくとも１つの後続のシーケンス番号が、前記少なくとも１つの記憶されたシーケンス番号と同じであるとき、前記後続のオーバーヘッドメッセージを無視することと
を行わせるためのプログラミングを備える、コンピュータ可読記憶媒体。
［Ｃ３２］
前記後続のセクタインジケータが、前記後続のオーバーヘッドメッセージに対応する少なくとも１つの予約済みビットの値を備え、
前記記憶されたセクタインジケータが、前のオーバーヘッドメッセージに対応する少なくとも１つの予約済みビットの値を備える、請求項３１に記載のコンピュータ可読記憶媒体。
［Ｃ３３］
コンピュータに、
前記後続のセクタインジケータが、前記記憶されたセクタインジケータとは異なるとき、前記後続のオーバーヘッドメッセージを受信すること
を行わせるためのプログラミングをさらに備える、請求項３１に記載のコンピュータ可読記憶媒体。
［Ｃ３４］
コンピュータに、
前記少なくとも１つの後続のシーケンス番号が、前記記憶媒体に記憶された前記少なくとも１つのシーケンス番号とは異なるとき、前記後続のオーバーヘッドメッセージを受信すること
を行わせるためのプログラミングをさらに備える、請求項３１に記載のコンピュータ可読記憶媒体。
［Ｃ３５］
通信インターフェースと、
記憶媒体と、
前記通信インターフェースと前記記憶媒体とに結合された処理回路であって、
メッセージを別のセクタに関連するメッセージと区別するように適応されたセクタインジケータを含む前記メッセージを取得することと、
前記通信インターフェースを介して前記メッセージを送信することと
を行うように適応された処理回路と
を備える、ネットワークノード。
［Ｃ３６］
前記取得されたメッセージが一般ページメッセージを備える、請求項３５に記載のネットワークノード。
［Ｃ３７］
前記セクタインジケータが、
前記取得されたメッセージを別のセクタに関連するメッセージと区別するように適応された値に設定された前記取得されたメッセージの少なくとも１つの予約済みビット
を備える、請求項３５に記載のネットワークノード。
［Ｃ３８］
前記取得されたメッセージが、１つまたは複数の対応するシーケンス番号を備えるオーバーヘッドメッセージを含む、請求項３５に記載のネットワークノード。
［Ｃ３９］
前記処理回路が、
パイロット上で前記取得されたメッセージを送信することであって、前記パイロットが、前記他のセクタによって採用されるパイロットと同じパイロットである、送信すること
を行うように適応された、請求項３５に記載のネットワークノード。
［Ｃ４０］
前記処理回路が、
前記メッセージが取得される前に、前記他のセクタが同じパイロットを採用すると判断すること
を行うように適応された、請求項３９に記載のネットワークノード。
［Ｃ４１］
メッセージを別のセクタに関連するメッセージと区別するように適応されたセクタインジケータを備える前記メッセージを取得することと、
前記取得されたメッセージを送信することと
を備える、ネットワークノード上で動作可能な方法。
［Ｃ４２］
前記メッセージを別のセクタに関連するメッセージと区別するように適応された前記セクタインジケータを備える前記メッセージを取得することが、
一般ページメッセージを別のセクタに関連する一般ページメッセージと区別するように適応されたセクタインジケータを備える前記一般ページメッセージを生成すること
を備える、請求項４１に記載の方法。
［Ｃ４３］
前記メッセージを別のセクタに関連するメッセージと区別するように適応された前記セクタインジケータを備える前記メッセージを取得することが、
前記取得されたメッセージを別のセクタに関連するメッセージと区別するように適応された値に設定された少なくとも１つの予約済みビットを備える前記メッセージを取得すること
を備える、請求項４１に記載の方法。
［Ｃ４４］
前記メッセージを取得することが、
１つまたは複数の対応するシーケンス番号をもつオーバーヘッドメッセージを備える前記メッセージを取得すること
をさらに備える、請求項４１に記載の方法。
［Ｃ４５］
前記取得メッセージを送信することが、
パイロット上で前記取得メッセージを送信することであって、前記パイロットが、前記他のセクタによって採用されるパイロットと同じパイロットである、送信すること
を備える、請求項４１に記載の方法。
［Ｃ４６］
前記メッセージを取得するより前に、前記他のセクタが同じパイロットを採用すると判断すること
をさらに備える、請求項４５に記載の方法。
［Ｃ４７］
メッセージを別のセクタに関連するメッセージと区別するように適応されたセクタインジケータを備える前記メッセージを取得するための手段と、
前記取得されたメッセージを送信するための手段と
を備える、ネットワークノード。
［Ｃ４８］
前記取得されたメッセージが一般ページメッセージを備える、請求項４７に記載のネットワークノード。
［Ｃ４９］
前記セクタインジケータが、前記取得されたメッセージを別のセクタに関連するメッセージと区別するように適応された値に設定された前記取得されたメッセージの少なくとも１つの予約済みビットを備える、請求項４７に記載のネットワークノード。
［Ｃ５０］
前記取得されたメッセージが、１つまたは複数の対応するシーケンス番号を備えるオーバーヘッドメッセージを備える、請求項４７に記載のネットワークノード。
［Ｃ５１］
コンピュータに、
メッセージを別のセクタに関連するメッセージと区別するように適応されたセクタインジケータを備える前記メッセージを生成することと、
前記生成されたメッセージを送信することと
を行わせるためのプログラミングを備える、コンピュータ可読記憶媒体。
［Ｃ５２］
前記生成されたメッセージが一般ページメッセージを備える、請求項５１に記載のコンピュータ可読記憶媒体。
［Ｃ５３］
前記セクタインジケータが、前記生成されたメッセージを別のセクタに関連するメッセージと区別するように適応された値に設定された前記生成されたメッセージの少なくとも１つの予約済みビットを備える、請求項５１に記載のコンピュータ可読記憶媒体。
［Ｃ５４］
前記生成されたメッセージが、１つまたは複数の対応するシーケンス番号を備えるオーバーヘッドメッセージを含む、請求項５１に記載のコンピュータ可読記憶媒体。
［Ｃ５５］
前記生成されたメッセージがパイロット上で送信され、前記パイロットが、前記他のセクタによって採用されるパイロットと同じである、請求項５１に記載のコンピュータ可読記憶媒体。
［Ｃ５６］
コンピュータに、
前記メッセージが生成される前に、前記他のセクタが同じパイロットを採用すると判断すること
を行わせるためのプログラミングをさらに備える、請求項５５に記載のコンピュータ可読記憶媒体。
［Ｃ５７］
ワイヤレス通信のために構成されたワイヤレス通信デバイスであって、
通信インターフェースと、
第１のオーバーヘッドメッセージに関連する少なくとも１つのシーケンス番号を含むオーバーヘッドメッセージ情報を記憶する記憶媒体と、
第２のオーバーヘッドメッセージに関連する少なくとも１つの後続のシーケンス番号を受信し、前記少なくとも１つの後続のシーケンス番号が、前記少なくとも１つのシーケンス番号と同じであるとき、前記少なくとも１つの後続のオーバーヘッドメッセージを無視するように前記デバイスに命令するように構成されたプロセッサと
を備えるデバイス。
【国際調査報告】
2015503875.tif 000012
2015503875.tif 000013
2015503875.tif 000014
2015503875.tif 000015
2015503875.tif 000016